(57)【要約】【課題】  広告データが端末装置内にあっても端末装置外にあっても広告表示の遷移を把握することができる広告管理サーバ装置、広告表示装置、広告管理システム、広告管理方法およびプログラムを提供する。【解決手段】  広告管理サーバ２０は、第１の広告データ４２の「ジャンプ先ＵＲＬ」４２６が示すジャンプ先ＵＲＬに基づいて、ジャンプ先ＵＲＬにジャンプスキームおよびクリックスルーＵＲＬを追加し、遷移先種別を決定する。端末装置１０は、広告がクリックされると、ジャンプスキームに応じたアプリを起動し、広告操作のログを生成して端末装置記憶部１２に記憶する。そして、広告取得時刻になると、端末装置記憶部１２に記憶したログを広告管理サーバ２０に送信する。広告管理サーバ２０は、端末装置１０から受信したログのうち、遷移先種別が端末遷移型であるログのみを解析して、解析結果を広告サーバ３０に送信する。【選択図】      図１
2012252427.tif 000002
【特許請求の範囲】
【請求項１】
広告サーバ装置および広告表示装置にネットワークを介して接続される広告管理サーバ装置であって、
広告の属性を表すデータであって、広告表示装置に表示された各広告中のいずれかを選択する広告操作に応答して、広告操作が行われた広告の詳細情報を取得する取得先を表す取得先特定情報を含むデータである第１の広告属性データを、広告サーバ装置から取得する広告属性データ取得部と、
広告属性データ取得部が取得した第１の広告属性データに含まれる取得先特定情報に基づいて、広告操作が行われた広告の詳細情報が、ネットワークを介して取得する広告であるのか、端末装置内に詳細情報が記憶されている広告であるのかを判断する取得先判断部と、
取得先判断部による判断結果に応じて、第１の広告属性データに、取得先の種別を表す取得先種別データを付与して、第２の広告属性データを生成する取得先種別データ付与部と、
取得先種別データ付与部によって取得先種別データが付与された第２の広告属性データを広告表示装置に送信する広告属性データ送信部と、
広告操作の実績を表す広告実績データであって、広告操作が行われた広告の取得先種別データを含む広告実績データを広告表示装置から取得する広告実績データ取得部と、
広告実績データ取得部が取得した広告実績データから、取得先種別データを抽出する広告実績報告データ抽出部と、
広告実績報告データ抽出部が抽出した取得先種別データに応じた広告実績データを広告サーバ装置に送信する広告実績送信部と、を含むことを特徴とする広告管理サーバ装置。
【請求項２】
前記広告実績送信部は、前記広告実績データ取得部が取得した広告実績データのうち、詳細情報を、ネットワークを介して取得する広告に対する広告操作の実績を除いた広告実績データを送信することを特徴とする請求項１に記載の広告管理サーバ装置。
【請求項３】
前記取得先種別データ付与部は、詳細情報を、ネットワークを介して取得する広告に対する広告操作を広告実績データとして送信しないように端末装置に指示する指示情報を、広告属性データに付加して送信することを特徴とする請求項１に記載の広告管理サーバ装置。
【請求項４】
前記取得先判断部は、取得先特定情報に含まれる文字列のうち広告の詳細情報を取得する取得先を特定する特定文字列に基づいて、詳細情報を、ネットワークを介して取得する広告であるのか、端末装置内に詳細情報が記憶されている広告であるのかを判断することを特徴とする請求項１に記載の広告管理サーバ装置。
【請求項５】
ネットワークを介して相互に接続される広告管理サーバ装置、広告サーバ装置および広告表示装置を含む広告管理システムであって、
広告管理サーバは、
広告の属性を表すデータであって、広告表示装置に表示された各広告中のいずれかを選択する広告操作に応答して、広告操作が行われた広告の詳細情報を取得する取得先を表す取得先特定情報を含むデータである第１の広告属性データを、広告サーバ装置から取得する広告属性データ取得部と、
広告属性データ取得部が取得した第１の広告属性データに含まれる取得先特定情報に基づいて、広告操作が行われた広告の詳細情報が、ネットワークを介して取得する広告であるのか、端末装置内に詳細情報が記憶されている広告であるのかを判断する取得先判断部と、
取得先判断部による判断結果に応じて、第１の広告属性データに、取得先の種別を表す取得先種別データを付与して、第２の広告属性データを生成する取得先種別データ付与部と、
取得先種別データ付与部によって取得先種別データが付与された第２の広告属性データを広告表示装置に送信する広告属性データ送信部と、
広告操作の実績を表す広告実績データであって、広告操作が行われた広告の取得先種別データを含む広告実績データを広告表示装置から取得する広告実績データ取得部と、
広告実績データ取得部が取得した広告実績データから、取得先種別データを抽出する広告実績報告データ抽出部と、
広告実績報告データ抽出部が抽出した取得先種別データに応じた広告実績データを広告サーバ装置に送信する広告実績送信部と、を含み、
広告表示装置は、
第２の広告属性データを広告管理サーバ装置から受信する広告属性データ受信部と、
広告を表す広告画像データを広告サーバ装置から受信する広告データ受信部と、
広告属性データ受信部が受信した第２の広告属性データと、広告データ受信部が受信した広告画像データとを関連付けて記憶する広告記憶部と、
広告画像データを広告として表示する広告表示部と、
広告表示部に表示される広告に対する広告操作が行われたことを検出する広告操作検出部と、
広告操作検出部が広告表示部に表示される広告に対する広告操作が行われたことを検出すると、広告表示部に表示される広告に応答する広告操作が行われたことと、広告操作が行われた広告に関連付けられた第２の広告属性データとを広告実績データとして記憶する広告操作記憶部と、
広告操作記憶部に記憶される広告実績データを広告管理サーバ装置に送信する広告実績送信部と、を含むことを特徴とする広告管理システム。
【請求項６】
広告サーバ装置および広告表示装置にネットワークを介して接続される広告管理サーバ装置で実行される広告管理方法であって、
広告の属性を表すデータであって、広告表示装置に表示された各広告中のいずれかを選択する広告操作に応答して、広告操作が行われた広告の詳細情報を取得する取得先を表す取得先特定情報を含むデータである第１の広告属性データを、広告サーバ装置から取得する広告属性データ取得ステップと、
広告属性データ取得ステップで取得した第１の広告属性データに含まれる取得先特定情報に基づいて、広告操作が行われた広告の詳細情報が、ネットワークを介して取得する広告であるのか、端末装置内に詳細情報が記憶されている広告であるのかを判断する取得先判断ステップと、
取得先判断ステップでの判断結果に応じて、第１の広告属性データに、取得先の種別を表す取得先種別データを付与して、第２の広告属性データを生成する取得先種別データ付与ステップと、
取得先種別データ付与ステップで取得先種別データが付与された第２の広告属性データを広告表示装置に送信する広告属性データ送信ステップと、
広告操作の実績を表す広告実績データであって、広告操作が行われた広告の取得先種別データを含む広告実績データを広告表示装置から取得する広告実績データ取得ステップと、
広告実績データ取得ステップで取得した広告実績データから、取得先種別データを抽出する広告実績報告データ抽出ステップと、
広告実績報告データ抽出ステップで抽出した取得先種別データに応じた広告実績データを広告サーバ装置に送信する広告実績送信ステップと、を含むことを特徴とする広告管理方法。
【請求項７】
広告サーバ装置および広告表示装置にネットワークを介して接続され、コンピュータを含む広告管理サーバ装置のコンピュータに、
広告の属性を表すデータであって、広告表示装置に表示された各広告中のいずれかを選択する広告操作に応答して、広告操作が行われた広告の詳細情報を取得する取得先を表す取得先特定情報を含むデータである第１の広告属性データを、広告サーバ装置から取得する広告属性データ取得ステップと、
広告属性データ取得ステップで取得した第１の広告属性データに含まれる取得先特定情報に基づいて、広告操作が行われた広告の詳細情報が、ネットワークを介して取得する広告であるのか、端末装置内に詳細情報が記憶されている広告であるのかを判断する取得先判断ステップと、
取得先判断ステップでの判断結果に応じて、第１の広告属性データに、取得先の種別を表す取得先種別データを付与して、第２の広告属性データを生成する取得先種別データ付与ステップと、
取得先種別データ付与ステップで取得先種別データが付与された第２の広告属性データを広告表示装置に送信する広告属性データ送信ステップと、
広告操作の実績を表す広告実績データであって、広告操作が行われた広告の取得先種別データを含む広告実績データを広告表示装置から取得する広告実績データ取得ステップと、
広告実績データ取得ステップで取得した広告実績データから、取得先種別データを抽出する広告実績報告データ抽出ステップと、
広告実績報告データ抽出ステップで抽出した取得先種別データに応じた広告実績データを広告サーバ装置に送信する広告実績送信ステップと、を実行させるためのプログラム。
【請求項８】
広告管理サーバ装置および広告サーバ装置にネットワークを介して接続される広告表示装置であって、
広告を取得する取得先を表す取得先特定情報を含む広告属性データを広告管理サーバ装置から受信する広告属性データ受信部と、
広告を表す広告画像データを広告サーバ装置から受信する広告データ受信部と、
広告属性データ受信部が受信した広告属性データと、広告データ受信部が受信した広告画像データとを関連付けて記憶する広告記憶部と、
広告画像データを広告として表示する広告表示部と、
広告表示部に表示された各広告中のいずれかを選択する広告操作が行われたことを検出する広告操作検出部と、
広告操作検出部が広告表示部に表示された各広告中のいずれかを選択する広告操作が行われたことを検出すると、広告操作が行われた広告に関連付けられた広告属性データを広告記憶部から読み出し、読み出した広告属性データに含まれる取得先特定情報に基づいて、広告操作が行われた広告の詳細情報が、ネットワークを介して取得する広告であるのか、端末装置内に詳細情報が記憶されている広告であるのかを判断し、判断結果に応じて広告操作の実績を記憶する広告操作記憶部と、を含むことを特徴とする広告表示装置。
【請求項９】
前記広告操作記憶部は、詳細情報を、ネットワークを介して取得する広告であると判断したとき、広告操作の実績を記録しないことを特徴とする請求項８に記載の広告表示装置。
【請求項１０】
前記広告操作記憶部に記憶される広告操作の実績を広告管理サーバ装置に送信する広告実績送信部をさらに含み、
前記広告操作記憶部は、詳細情報を、ネットワークを介して取得する広告であると判断したとき、広告サーバ装置に広告操作の実績を送信しないことを表す送信抑止情報を広告操作の実績に付加して記憶し、
広告実績送信部は、送信抑止情報が広告操作の実績に付加されている広告操作の実績を送信しないことを特徴とする請求項８に記載の広告表示装置。
【請求項１１】
前記広告操作記憶部に記憶される広告操作の実績を広告管理サーバ装置に送信する広告実績送信部をさらに含み、
前記広告操作記憶部は、詳細情報を、ネットワークを介して取得する広告であると判断したとき、広告サーバ装置に広告操作の実績を送信しないことを表す送信抑止情報を広告操作の実績に付加して記憶し、
広告実績送信部は、送信抑止情報が広告操作の実績に付加されている広告操作の実績を送信することを特徴とする請求項８に記載の広告表示装置。
【請求項１２】
前記広告操作記憶部は、取得先特定情報に含まれる文字列のうち広告の詳細情報を取得する取得先を特定する特定文字列に基づいて、詳細情報を、ネットワークを介して取得する広告であるのか、端末装置内に詳細情報が記憶されている広告であるのかを判断することを特徴とする請求項８に記載の広告表示装置。
【請求項１３】
前記広告操作の実績は、広告操作が行われた日時を表す広告操作日時データ、広告を特定する広告特定データ、および広告操作の種類を表す広告種類データを含むことを特徴とする請求項８に記載の広告表示装置。
【請求項１４】
ネットワークを介して相互に接続される広告管理サーバ装置、広告サーバ装置および広告表示装置を含む広告管理システムであって、
広告管理サーバは、
広告を取得する取得先を表す取得先特定情報を含む広告属性データを、広告サーバ装置から取得する広告属性データ取得部と、
広告属性データ取得部が取得した広告属性データを広告表示装置に送信する広告属性データ送信部と、
広告表示装置から送信された広告操作の実績を取得する広告実績取得部と、
広告実績取得部が取得した広告操作の実績に応じた広告実績データを生成し、生成した広告実績データを広告サーバ装置に送信する広告実績送信部と、を含み、
広告表示装置は、
広告を取得する取得先を表す取得先特定情報を含む広告属性データを広告管理サーバ装置から受信する広告属性データ受信部と、
広告を表す広告画像データを広告サーバ装置から受信する広告データ受信部と、
広告属性データ受信部が受信した広告属性データと、広告データ受信部が受信した広告画像データとを関連付けて記憶する広告記憶部と、
広告画像データを広告として表示する広告表示部と、
広告表示部に表示された各広告中のいずれかを選択する広告操作が行われたことを検出する広告操作検出部と、
広告操作検出部が広告表示部に表示された各広告中のいずれかを選択する広告操作が行われたことを検出すると、広告操作が行われた広告に関連付けられた広告属性データを広告記憶部から読み出し、読み出した広告属性データに含まれる取得先特定情報に基づいて、広告操作が行われた広告の詳細情報が、ネットワークを介して取得する広告であるのか、端末装置内に詳細情報が記憶されている広告であるのかを判断し、判断結果に応じて広告操作の実績を記憶する広告操作記憶部と、
前記広告操作記憶部に記憶される広告操作の実績を広告管理サーバ装置に送信する広告実績送信部と、を含むことを特徴とする広告管理システム。
【請求項１５】
広告管理サーバ装置および広告サーバ装置にネットワークを介して接続される広告表示装置で実行される広告管理方法であって、
広告を取得する取得先を表す取得先特定情報を含む広告属性データを広告管理サーバ装置から受信する広告属性データ受信ステップと、
広告を表す広告画像データを広告サーバ装置から受信する広告データ受信ステップと、
広告属性データ受信ステップで受信した広告属性データと、広告データ受信ステップで受信した広告画像データとを関連付けて広告記憶部に記憶する広告記憶ステップと、
広告画像データを広告として表示する広告表示ステップと、
広告表示ステップで表示された各広告中のいずれかを選択する広告操作が行われたことを検出する広告操作検出ステップと、
広告操作検出ステップで、広告表示ステップで表示された各広告中のいずれかを選択する広告操作が行われたことを検出すると、広告操作が行われた広告に関連付けられた広告属性データを広告記憶部から読み出し、読み出した広告属性データに含まれる取得先特定情報に基づいて、広告操作が行われた広告の詳細情報が、ネットワークを介して取得する広告であるのか、端末装置内に詳細情報が記憶されている広告であるのかを判断し、判断結果に応じて広告操作の実績を記憶する広告操作記憶ステップと、を含むことを特徴とする広告管理方法。
【請求項１６】
広告管理サーバ装置および広告サーバ装置にネットワークを介して接続され、コンピュータを含む広告表示装置のコンピュータに、
広告を取得する取得先を表す取得先特定情報を含む広告属性データを広告管理サーバ装置から受信する広告属性データ受信ステップと、
広告を表す広告画像データを広告サーバ装置から受信する広告データ受信ステップと、
広告属性データ受信ステップで受信した広告属性データと、広告データ受信ステップで受信した広告画像データとを関連付けて広告記憶部に記憶する広告記憶ステップと、
広告画像データを広告として表示する広告表示ステップと、
広告表示ステップで表示された各広告中のいずれかを選択する広告操作が行われたことを検出する広告操作検出ステップと、
広告操作検出ステップで、広告表示ステップで表示された各広告中のいずれかを選択する広告操作が行われたことを検出すると、広告操作が行われた広告に関連付けられた広告属性データを広告記憶部から読み出し、読み出した広告属性データに含まれる取得先特定情報に基づいて、広告操作が行われた広告の詳細情報が、ネットワークを介して取得する広告であるのか、端末装置内に詳細情報が記憶されている広告であるのかを判断し、判断結果に応じて広告操作の実績を記憶する広告操作記憶ステップと、を実行させるためのプログラム。
【発明の詳細な説明】
【技術分野】
【０００１】
本発明は、広告の取得先を管理することができる広告管理サーバ装置、広告表示装置、広告管理システム、広告管理方法およびプログラムに関する。
【背景技術】
【０００２】
端末装置には、広告主から提供される広告を管理する管理サーバから、広告データをダウンロードして端末装置内に記憶しておき、ネットワークと接続されていないオフライン状態でも、記憶している広告データを表示するオフライン広告を行うことができるものがある。オフライン広告では、管理サーバは、端末装置内で、広告の表示や広告をクリックしてさらに詳細な内容を表示する操作（以下「広告操作」という）が行われたことを把握することができない。したがって、オフライン広告では、管理サーバは、広告操作に対する対価を広告主に請求することができない。
【０００３】
第１の従来技術として、特許文献１に記載される接続サービス提供システムがある。この接続サービス提供システムは、クライアントにて閲覧したいウェブ（以下「Ｗｅｂ」という）サーバの統一資源位置指定子（Uniform Resource Locator：以下「ＵＲＬ」という）を送信するに際して、ＷｅｂサーバのＵＲＬを引数にしつつ、代理サーバのＵＲＬをリクエストする。これによって、クライアントからのリクエストはすべて代理サーバに送信されるので、代理サーバは、クライアントのＷｅｂサーバへのアクセス挙動を把握することができる。
【０００４】
第２の従来技術として、特許文献２に記載されるログ収集解析システムがある。このログ収集解析システムでは、ログ収集端末は、オフライン環境でも、ログアプリケーションプログラムによって生成されたログを収集して蓄積する。そして、ログ収集端末がネットワークに接続されると、ログ収集端末は、蓄積したログ情報をログサーバに送信する。ログサーバは、ログ収集端末から送信されてきたログ情報を蓄積し、解析を行う。ログ収集解析システムでは、ログ収集端末内において発生するログ、つまりログ収集端末内の各ログアプリケーションプログラムが生成するログは、すべてログ収集端末内に記憶された後、ログサーバに送信される。ログサーバは、ログ収集端末がオンライン時のログだけでなく、オフライン時のログも、ログ収集端末から受信して解析することが可能となる。
【先行技術文献】
【特許文献】
【０００５】
【特許文献１】特開２００２−３２２７３号公報
【特許文献２】特開２００３−５８３９５号公報
【発明の概要】
【発明が解決しようとする課題】
【０００６】
端末装置に記憶されたオフライン広告は、広告操作を行った時に遷移先となるコンテンツ（以下「詳細情報」という）が端末装置内から取得される場合、たとえば、ネットワークを介した情報の転送回数を減らすために、一度ダウンロードした広告データを端末装置の記憶装置に一時的に記憶しておき、その広告データを取得する場合と、端末装置外から取得される場合、たとえばオンラインコンテンツを取得する場合とがある。
【０００７】
詳細情報が端末装置内から取得される場合と、端末装置外から取得される場合とが混在する端末装置を用いる環境において、第１の従来技術では、端末装置内から取得される場合、たとえば表示する詳細情報が端末装置内に一時的に記憶されている場合、代理サーバは、どのような広告操作が行われたのかを把握することができない。
【０００８】
また、第２の従来技術では、端末装置外から取得される場合、たとえば表示する詳細情報がオンラインコンテンツである場合、端末装置内に記憶される広告データを表示する広告表示プログラムは、オンラインコンテンツを表示する広告操作が行われると、オンラインコンテンツをダウンロードして表示するプログラム、たとえばウェブブラウザやプレーヤに処理を渡す。オンラインコンテンツをダウンロードして表示するプログラムは、エラーが発生したことを広告表示プログラムに知らせるインタフェースを有していないので、広告表示プログラムは、オンラインコンテンツが正常に表示されたか否かを把握することができない。すなわち、広告表示プログラムは、オンラインコンテンツを提供するサーバに、本当にアクセスできたか否かを把握することができない。いずれの場合であっても、管理サーバは、広告操作が行なわれたことに対する正確な対価を広告主に請求することが困難である。
【０００９】
本発明の目的は、広告の詳細情報が端末装置内にあっても端末装置外にあっても広告の詳細情報の取得先を把握することができる広告管理サーバ装置、広告表示装置、広告管理システム、広告管理方法およびプログラムを提供することである。
【課題を解決するための手段】
【００１０】
本発明は、広告サーバ装置および広告表示装置にネットワークを介して接続される広告管理サーバ装置であって、
広告の属性を表すデータであって、広告表示装置に表示された各広告中のいずれかを選択する広告操作に応答して、広告操作が行われた広告の詳細情報を取得する取得先を表す取得先特定情報を含むデータを含む第１の広告属性データを、広告サーバ装置から取得する広告属性データ取得部と、
広告属性データ取得部が取得した第１の広告属性データに含まれる取得先特定情報に基づいて、広告操作が行われた広告の詳細情報が、ネットワークを介して取得する広告であるのか、端末装置内に詳細情報が記憶されている広告であるのかを判断する取得先判断部と、
取得先判断部による判断結果に応じて、第１の広告属性データに、取得先の種別を表す取得先種別データを付与して、第２の広告属性データを生成する取得先種別データ付与部と、
取得先種別データ付与部によって取得先種別データが付与された第２の広告属性データを広告表示装置に送信する広告属性データ送信部と、
広告操作の実績を表す広告実績データであって、広告操作が行われた広告の取得先種別データを含む広告実績データを広告表示装置から取得する広告実績データ取得部と、
広告実績データ取得部が取得した広告実績データから、取得先種別データを抽出する広告実績報告データ抽出部と、
広告実績報告データ抽出部が抽出した取得先種別データに応じた広告実績データを広告サーバ装置に送信する広告実績送信部と、を含むことを特徴とする広告管理サーバ装置である。
【００１１】
また本発明は、前記広告実績送信部は、前記広告実績データ取得部が取得した広告実績データのうち、詳細情報を、ネットワークを介して取得する広告に対する広告操作の実績を除いた広告実績データを送信することを特徴とする。
【００１２】
また本発明は、前記取得先種別データ付与部は、詳細情報を、ネットワークを介して取得する広告に対する広告操作を広告実績データとして送信しないように端末装置に指示する指示情報を、広告属性データに付加して送信することを特徴とする。
【００１３】
また本発明は、前記取得先判断部は、取得先特定情報に含まれる文字列のうち広告の詳細情報を取得する取得先を特定する特定文字列に基づいて、詳細情報を、ネットワークを介して取得する広告であるのか、端末装置内に詳細情報が記憶されている広告であるのかを判断することを特徴とする。
【００１４】
また本発明は、ネットワークを介して相互に接続される広告管理サーバ装置、広告サーバ装置および広告表示装置を含む広告管理システムであって、
広告管理サーバは、
広告の属性を表すデータであって、広告表示装置に表示された各広告中のいずれかを選択する広告操作に応答して、広告操作が行われた広告の詳細情報を取得する取得先を表す取得先特定情報を含むデータである第１の広告属性データを、広告サーバ装置から取得する広告属性データ取得部と、
広告属性データ取得部が取得した第１の広告属性データに含まれる取得先特定情報に基づいて、広告操作が行われた広告の詳細情報が、ネットワークを介して取得する広告であるのか、端末装置内に詳細情報が記憶されている広告であるのかを判断する取得先判断部と、
取得先判断部による判断結果に応じて、第１の広告属性データに、取得先の種別を表す取得先種別データを付与して、第２の広告属性データを生成する取得先種別データ付与部と、
取得先種別データ付与部によって取得先種別データが付与された第２の広告属性データを広告表示装置に送信する広告属性データ送信部と、
広告操作の実績を表す広告実績データであって、広告操作が行われた広告の取得先種別データを含む広告実績データを広告表示装置から取得する広告実績データ取得部と、
広告実績データ取得部が取得した広告実績データから、取得先種別データを抽出する広告実績報告データ抽出部と、
広告実績報告データ抽出部が抽出した取得先種別データに応じた広告実績データを広告サーバ装置に送信する広告実績送信部と、を含み、
広告表示装置は、
第２の広告属性データを広告管理サーバ装置から受信する広告属性データ受信部と、
広告を表す広告画像データを広告サーバ装置から受信する広告データ受信部と、
広告属性データ受信部が受信した第２の広告属性データと、広告データ受信部が受信した広告画像データとを関連付けて記憶する広告記憶部と、
広告画像データを広告として表示する広告表示部と、
広告表示部に表示される広告に対する広告操作が行われたことを検出する広告操作検出部と、
広告操作検出部が広告表示部に表示される広告に対する広告操作が行われたことを検出すると、広告表示部に表示される広告に応答する広告操作が行われたことと、広告操作が行われた広告に関連付けられた第２の広告属性データとを広告実績データとして記憶する広告操作記憶部と、
広告操作記憶部に記憶される広告実績データを広告管理サーバ装置に送信する広告実績送信部と、を含むことを特徴とする広告管理システムである。
【００１５】
また本発明は、広告サーバ装置および広告表示装置にネットワークを介して接続される広告管理サーバ装置で実行される広告管理方法であって、
広告の属性を表すデータであって、広告表示装置に表示された各広告中のいずれかを選択する広告操作に応答して、広告操作が行われた広告の詳細情報を取得する取得先を表す取得先特定情報を含むデータである第１の広告属性データを、広告サーバ装置から取得する広告属性データ取得ステップと、
広告属性データ取得ステップで取得した第１の広告属性データに含まれる取得先特定情報に基づいて、広告操作が行われた広告の詳細情報が、ネットワークを介して取得する広告であるのか、端末装置内に詳細情報が記憶されている広告であるのかを判断する取得先判断ステップと、
取得先判断ステップでの判断結果に応じて、第１の広告属性データに、取得先の種別を表す取得先種別データを付与して、第２の広告属性データを生成する取得先種別データ付与ステップと、
取得先種別データ付与ステップで取得先種別データが付与された第２の広告属性データを広告表示装置に送信する広告属性データ送信ステップと、
広告操作の実績を表す広告実績データであって、広告操作が行われた広告の取得先種別データを含む広告実績データを広告表示装置から取得する広告実績データ取得ステップと、
広告実績データ取得ステップで取得した広告実績データから、取得先種別データを抽出する広告実績報告データ抽出ステップと、
広告実績報告データ抽出ステップで抽出した取得先種別データに応じた広告実績データを広告サーバ装置に送信する広告実績送信ステップと、を含むことを特徴とする広告管理方法である。
【００１６】
また本発明は、広告サーバ装置および広告表示装置にネットワークを介して接続され、コンピュータを含む広告管理サーバ装置のコンピュータに、
広告の属性を表すデータであって、広告表示装置に表示された各広告中のいずれかを選択する広告操作に応答して、広告操作が行われた広告の詳細情報を取得する取得先を表す取得先特定情報を含むデータである第１の広告属性データを、広告サーバ装置から取得する広告属性データ取得ステップと、
広告属性データ取得ステップで取得した第１の広告属性データに含まれる取得先特定情報に基づいて、広告操作が行われた広告の詳細情報が、ネットワークを介して取得する広告であるのか、端末装置内に詳細情報が記憶されている広告であるのかを判断する取得先判断ステップと、
取得先判断ステップでの判断結果に応じて、第１の広告属性データに、取得先の種別を表す取得先種別データを付与して、第２の広告属性データを生成する取得先種別データ付与ステップと、
取得先種別データ付与ステップで取得先種別データが付与された第２の広告属性データを広告表示装置に送信する広告属性データ送信ステップと、
広告操作の実績を表す広告実績データであって、広告操作が行われた広告の取得先種別データを含む広告実績データを広告表示装置から取得する広告実績データ取得ステップと、
広告実績データ取得ステップで取得した広告実績データから、取得先種別データを抽出する広告実績報告データ抽出ステップと、
広告実績報告データ抽出ステップで抽出した取得先種別データに応じた広告実績データを広告サーバ装置に送信する広告実績送信ステップと、を実行させるためのプログラムである。
【００１７】
また本発明は、広告管理サーバ装置および広告サーバ装置にネットワークを介して接続される広告表示装置であって、
広告を取得する取得先を表す取得先特定情報を含む広告属性データを広告管理サーバ装置から受信する広告属性データ受信部と、
広告を表す広告画像データを広告サーバ装置から受信する広告データ受信部と、
広告属性データ受信部が受信した広告属性データと、広告データ受信部が受信した広告画像データとを関連付けて記憶する広告記憶部と、
広告画像データを広告として表示する広告表示部と、
広告表示部に表示された各広告中のいずれかを選択する広告操作が行われたことを検出する広告操作検出部と、
広告操作検出部が広告表示部に表示された各広告中のいずれかを選択する広告操作が行われたことを検出すると、広告操作が行われた広告に関連付けられた広告属性データを広告記憶部から読み出し、読み出した広告属性データに含まれる取得先特定情報に基づいて、広告操作が行われた広告の詳細情報が、ネットワークを介して取得する広告であるのか、端末装置内に詳細情報が記憶されている広告であるのかを判断し、判断結果に応じて広告操作の実績を記憶する広告操作記憶部と、を含むことを特徴とする広告表示装置である。
【００１８】
また本発明は、前記広告操作記憶部は、詳細情報を、ネットワークを介して取得する広告であると判断したとき、広告操作の実績を記録しないことを特徴とする。
【００１９】
また本発明は、前記広告操作記憶部に記憶される広告操作の実績を広告管理サーバ装置に送信する広告実績送信部をさらに含み、
前記広告操作記憶部は、詳細情報を、ネットワークを介して取得する広告であると判断したとき、広告サーバ装置に広告操作の実績を送信しないことを表す送信抑止情報を広告操作の実績に付加して記憶し、
広告実績送信部は、送信抑止情報が広告操作の実績に付加されている広告操作の実績を送信しないことを特徴とする。
【００２０】
また本発明は、前記広告操作記憶部に記憶される広告操作の実績を広告管理サーバ装置に送信する広告実績送信部をさらに含み、
前記広告操作記憶部は、詳細情報を、ネットワークを介して取得する広告であると判断したとき、広告サーバ装置に広告操作の実績を送信しないことを表す送信抑止情報を広告操作の実績に付加して記憶し、
広告実績送信部は、送信抑止情報が広告操作の実績に付加されている広告操作の実績を送信することを特徴とする。
【００２１】
また本発明は、前記広告操作記憶部は、取得先特定情報に含まれる文字列のうち広告の詳細情報を取得する取得先を特定する特定文字列に基づいて、詳細情報を、ネットワークを介して取得する広告であるのか、端末装置内に詳細情報が記憶されている広告であるのかを判断することを特徴とする。
【００２２】
また本発明は、前記広告操作の実績は、広告操作が行われた日時を表す広告操作日時データ、広告を特定する広告特定データ、および広告操作の種類を表す広告種類データを含むことを特徴とする。
【００２３】
また本発明は、ネットワークを介して相互に接続される広告管理サーバ装置、広告サーバ装置および広告表示装置を含む広告管理システムであって、
広告管理サーバは、
広告を取得する取得先を表す取得先特定情報を含む広告属性データを、広告サーバ装置から取得する広告属性データ取得部と、
広告属性データ取得部が取得した広告属性データを広告表示装置に送信する広告属性データ送信部と、
広告表示装置から送信された広告操作の実績を取得する広告実績取得部と、
広告実績取得部が取得した広告操作の実績に応じた広告実績データを生成し、生成した広告実績データを広告サーバ装置に送信する広告実績送信部と、を含み、
広告表示装置は、
広告を取得する取得先を表す取得先特定情報を含む広告属性データを広告管理サーバ装置から受信する広告属性データ受信部と、
広告を表す広告画像データを広告サーバ装置から受信する広告データ受信部と、
広告属性データ受信部が受信した広告属性データと、広告データ受信部が受信した広告画像データとを関連付けて記憶する広告記憶部と、
広告画像データを広告として表示する広告表示部と、
広告表示部に表示された各広告中のいずれかを選択する広告操作が行われたことを検出する広告操作検出部と、
広告操作検出部が広告表示部に表示された各広告中のいずれかを選択する広告操作が行われたことを検出すると、広告操作が行われた広告に関連付けられた広告属性データを広告記憶部から読み出し、読み出した広告属性データに含まれる取得先特定情報に基づいて、広告操作が行われた広告の詳細情報が、ネットワークを介して取得する広告であるのか、端末装置内に詳細情報が記憶されている広告であるのかを判断し、判断結果に応じて広告操作の実績を記憶する広告操作記憶部と、
前記広告操作記憶部に記憶される広告操作の実績を広告管理サーバ装置に送信する広告実績送信部と、を含むことを特徴とする広告管理システムである。
【００２４】
また本発明は、広告管理サーバ装置および広告サーバ装置にネットワークを介して接続される広告表示装置で実行される広告管理方法であって、
広告を取得する取得先を表す取得先特定情報を含む広告属性データを広告管理サーバ装置から受信する広告属性データ受信ステップと、
広告を表す広告画像データを広告サーバ装置から受信する広告データ受信ステップと、
広告属性データ受信ステップで受信した広告属性データと、広告データ受信ステップで受信した広告画像データとを関連付けて広告記憶部に記憶する広告記憶ステップと、
広告画像データを広告として表示する広告表示ステップと、
広告表示ステップで表示された各広告中のいずれかを選択する広告操作が行われたことを検出する広告操作検出ステップと、
広告操作検出ステップで、広告表示ステップで表示された各広告中のいずれかを選択する広告操作が行われたことを検出すると、広告操作が行われた広告に関連付けられた広告属性データを広告記憶部から読み出し、読み出した広告属性データに含まれる取得先特定情報に基づいて、広告操作が行われた広告の詳細情報が、ネットワークを介して取得する広告であるのか、端末装置内に詳細情報が記憶されている広告であるのかを判断し、判断結果に応じて広告操作の実績を記憶する広告操作記憶ステップと、を含むことを特徴とする広告管理方法である。
【００２５】
また本発明は、広告管理サーバ装置および広告サーバ装置にネットワークを介して接続され、コンピュータを含む広告表示装置のコンピュータに、
広告を取得する取得先を表す取得先特定情報を含む広告属性データを広告管理サーバ装置から受信する広告属性データ受信ステップと、
広告を表す広告画像データを広告サーバ装置から受信する広告データ受信ステップと、
広告属性データ受信ステップで受信した広告属性データと、広告データ受信ステップで受信した広告画像データとを関連付けて広告記憶部に記憶する広告記憶ステップと、
広告画像データを広告として表示する広告表示ステップと、
広告表示ステップで表示された各広告中のいずれかを選択する広告操作が行われたことを検出する広告操作検出ステップと、
広告操作検出ステップで、広告表示ステップで表示された各広告中のいずれかを選択する広告操作が行われたことを検出すると、広告操作が行われた広告に関連付けられた広告属性データを広告記憶部から読み出し、読み出した広告属性データに含まれる取得先特定情報に基づいて、広告操作が行われた広告の詳細情報が、ネットワークを介して取得する広告であるのか、端末装置内に詳細情報が記憶されている広告であるのかを判断し、判断結果に応じて広告操作の実績を記憶する広告操作記憶ステップと、を実行させるためのプログラムである。
【発明の効果】
【００２６】
本発明によれば、広告サーバ装置および広告表示装置にネットワークを介して接続される広告管理サーバ装置で広告を管理するにあたって、広告属性データ取得部は、広告の属性を表すデータであって、広告表示装置に表示された各広告中のいずれかを選択する広告操作に応答して、広告操作が行われた広告の詳細情報を取得する取得先を表す取得先特定情報を含むデータである第１の広告属性データを、広告サーバ装置から取得する。取得先判断部は、広告属性データ取得部が取得した第１の広告属性データに含まれる取得先特定情報に基づいて、広告操作が行われた広告の詳細情報が、ネットワークを介して取得する広告であるのか、端末装置内に詳細情報が記憶されている広告であるのかを判断する。取得先種別データ付与部は、取得先判断部による判断結果に応じて、第１の広告属性データに、取得先の種別を表す取得先種別データを付与して、第２の広告属性データを生成する。広告属性データ送信部は、取得先種別データ付与部によって取得先種別データが付与された第２の広告属性データを広告表示装置に送信する。広告実績データ取得部は、広告操作の実績を表す広告実績データであって、広告操作が行われた広告の取得先種別データを含む広告実績データを広告表示装置から取得する。広告実績報告データ抽出部は、広告実績データ取得部が取得した広告実績データから、取得先種別データを抽出する。そして、広告実績送信部は、広告実績報告データ抽出部が抽出した取得先種別データに応じた広告実績データを広告サーバ装置に送信する。したがって、広告の詳細情報が端末装置内にあっても端末装置外にあっても広告の詳細情報を取得する取得先の遷移を把握することができる。また、端末装置外にある広告の詳細情報にアクセスしたことを２重にカウントすることを防ぐことができる。したがって、広告主に対して、広告の操作に対する正確な広告料を請求することができる。
【００２７】
また本発明によれば、前記広告実績送信部は、前記広告実績データ取得部が取得した広告実績データのうち、詳細情報を、ネットワークを介して取得する広告に対する広告操作の実績を除いた広告実績データを送信する。したがって、詳細情報を、ネットワークを介して取得する広告については、広告管理サーバ装置でカウントされた広告操作の実績を用いるので、通信エラーなどで取得できなかった広告を実績から除外することができる。
【００２８】
また本発明によれば、前記取得先種別データ付与部は、詳細情報を、ネットワークを介して取得する広告に対する広告操作を広告実績データとして送信しないように端末装置に指示する指示情報を、広告属性データに付加して送信する。したがって、広告表示装置側で、詳細情報を、ネットワークを介して取得する広告についての実績を除外することができる。
【００２９】
本発明によれば、前記取得先判断部は、取得先特定情報に含まれる文字列のうち広告の詳細情報を取得する取得先を特定する特定文字列に基づいて、詳細情報を、ネットワークを介して取得する広告であるのか、端末装置内に詳細情報が記憶されている広告であるのかを判断する。したがって、取得先特定情報に含まれる文字列によって判断することができる。
【００３０】
また本発明によれば、ネットワークを介して相互に接続される広告管理サーバ装置、広告サーバ装置および広告表示装置を含む広告管理システムで広告を管理するにあたって、広告管理サーバでは、広告属性データ取得部は、広告の属性を表すデータであって、広告表示装置に表示された各広告中のいずれかを選択する広告操作に応答して、広告操作が行われた広告の詳細情報を取得する取得先を表す取得先特定情報を含むデータである第１の広告属性データを、広告サーバ装置から取得する。取得先判断部は、広告属性データ取得部が取得した広告属性データに含まれる取得先特定情報に基づいて、広告操作が行われた広告の詳細情報が、ネットワークを介して取得する広告であるのか、端末装置内に詳細情報が記憶されている広告であるのかを判断する。取得先種別データ付与部は、取得先判断部による判断結果に応じて、第１の広告属性データに、取得先の種別を表す取得先種別データを付与して、第２の広告属性データを生成する。広告属性データ送信部は、取得先種別データ付与部によって取得先種別データが付与された第２の広告属性データを広告表示装置に送信する。広告実績データ取得部は、広告操作の実績を表す広告実績データであって、広告操作が行われた広告の取得先種別データを含む広告実績データを広告表示装置から取得する。広告実績報告データ抽出部は、広告実績データ取得部が取得した広告実績データから、取得先種別データを抽出する。そして、広告実績送信部は、広告実績報告データ抽出部が抽出した取得先種別データに応じた広告実績データを広告サーバ装置に送信する。
【００３１】
また、広告表示装置では、広告属性データ受信部は、第２の広告属性データを広告管理サーバ装置から受信する。広告データ受信部は、広告を表す広告画像データを広告サーバ装置から受信する。広告記憶部は、広告属性データ受信部が受信した第２の広告属性データと、広告データ受信部が受信した広告画像データとを関連付けて記憶する。広告表示部は、広告画像データを広告として表示する。広告操作検出部は、広告表示部に表示される広告に対する広告操作が行われたことを検出する。広告操作記憶部は、広告操作検出部が広告表示部に表示される広告に対する広告操作が行われたことを検出すると、広告表示部に表示される広告に応答する広告操作が行われたことと、広告操作が行われた広告に関連付けられた第２の広告属性データとを広告実績データとして記憶する。そして、広告実績送信部は、広告操作記憶部に記憶される広告実績データを広告管理サーバ装置に送信する。したがって、広告の詳細情報が端末装置内にあっても端末装置外にあっても広告の詳細情報を取得する取得先の遷移を把握することができる。また、端末装置外にある広告の詳細情報にアクセスしたことを２重にカウントすることを防ぐことができる。したがって、広告主に対して、広告の操作に対する正確な広告料を請求することができる。
【００３２】
また本発明によれば、広告サーバ装置および広告表示装置にネットワークを介して接続される広告管理サーバ装置で実行される広告管理方法によって広告を管理するにあたって、広告属性データ取得ステップでは、広告の属性を表すデータであって、広告表示装置に表示された各広告中のいずれかを選択する広告操作に応答して、広告操作が行われた広告の詳細情報を取得する取得先を表す取得先特定情報を含むデータである第１の広告属性データを、広告サーバ装置から取得する。取得先判断ステップでは、広告属性データ取得ステップで取得した広告属性データに含まれる取得先特定情報に基づいて、広告操作が行われた広告の詳細情報が、ネットワークを介して取得する広告であるのか、端末装置内に詳細情報が記憶されている広告であるのかを判断する。取得先種別データ付与ステップでは、取得先判断ステップでの判断結果に応じて、第１の広告属性データに、取得先の種別を表す取得先種別データを付与して、第２の広告属性データを生成する。広告属性データ送信ステップでは、取得先種別データ付与ステップで取得先種別データが付与された第２の広告属性データを広告表示装置に送信する。広告実績データ取得ステップでは、広告操作の実績を表す広告実績データであって、広告操作が行われた広告の取得先種別データを含む広告実績データを広告表示装置から取得する。広告実績報告データ抽出ステップでは、広告実績データ取得ステップで取得した広告実績データから、取得先種別データを抽出する。そして、広告実績送信ステップでは、広告実績報告データ抽出ステップで抽出した取得先種別データに応じた広告実績データを広告サーバ装置に送信する。したがって、広告の詳細情報が端末装置内にあっても端末装置外にあっても広告の詳細情報を取得する取得先の遷移を把握することができる。また、端末装置外にある広告の詳細情報にアクセスしたことを２重にカウントすることを防ぐことができる。したがって、広告主に対して、広告の操作に対する正確な広告料を請求することができる。
【００３３】
本発明によれば、広告サーバ装置および広告表示装置にネットワークを介して接続され、コンピュータを含む広告管理サーバ装置のコンピュータに、広告の属性を表すデータであって、広告表示装置に表示された各広告中のいずれかを選択する広告操作に応答して、広告操作が行われた広告の詳細情報を取得する取得先を表す取得先特定情報を含むデータである第１の広告属性データを、広告サーバ装置から取得する広告属性データ取得ステップと、広告属性データ取得ステップで取得した広告属性データに含まれる取得先特定情報に基づいて、広告操作が行われた広告の詳細情報が、ネットワークを介して取得する広告であるのか、端末装置内に詳細情報が記憶されている広告であるのかを判断する取得先判断ステップと、取得先判断ステップでの判断結果に応じて、第１の広告属性データに、取得先の種別を表す取得先種別データを付与して、第２の広告属性データを生成する取得先種別データ付与ステップと、取得先種別データ付与ステップで取得先種別データが付与された第２の広告属性データを広告表示装置に送信する広告属性データ送信ステップと、広告操作の実績を表す広告実績データであって、広告操作が行われた広告の取得先種別データを含む広告実績データを広告表示装置から取得する広告実績データ取得ステップと、広告実績データ取得ステップで取得した広告実績データから、取得先種別データを抽出する広告実績報告データ抽出ステップと、広告実績報告データ抽出ステップで抽出した取得先種別データに応じた広告実績データを広告サーバ装置に送信する広告実績送信ステップと、を実行させるためのプログラムとして提供することができる。
【００３４】
また本発明によれば、広告管理サーバ装置および広告サーバ装置にネットワークを介して接続される広告表示装置で広告を管理するにあたって、広告属性データ受信部は、広告を取得する取得先を表す取得先特定情報を含む広告属性データを広告管理サーバ装置から受信する。広告データ受信部は、広告を表す広告画像データを広告サーバ装置から受信する。広告記憶部は、広告属性データ受信部が受信した広告属性データと、広告データ受信部が受信した広告画像データとを関連付けて記憶する。広告表示部は、広告画像データを広告として表示する。広告操作検出部は、広告表示部に表示された各広告中のいずれかを選択する広告操作が行われたことを検出する。そして、広告操作記憶部は、広告操作検出部が広告表示部に表示された各広告中のいずれかを選択する広告操作が行われたことを検出すると、広告操作が行われた広告に関連付けられた広告属性データを広告記憶部から読み出し、読み出した広告属性データに含まれる取得先特定情報に基づいて、広告操作が行われた広告の詳細情報が、ネットワークを介して取得する広告であるのか、端末装置内に詳細情報が記憶されている広告であるのかを判断し、判断結果に応じて広告操作の実績を記憶する。したがって、広告の詳細情報が端末装置内にあっても端末装置外にあっても広告の詳細情報を取得する取得先の遷移を把握することができる。また、端末装置外にある広告の詳細情報にアクセスしたことを２重にカウントすることを防ぐことができる。したがって、広告主に対して、広告の操作に対する正確な広告料を請求することができる。
【００３５】
また本発明によれば、前記広告操作記憶部は、詳細情報を、ネットワークを介して取得する広告であると判断したとき、広告操作の実績を記録しないことを特徴とする。したがって、広告表示装置側で、詳細情報を、ネットワークを介して取得する広告についての実績を除外することができる。
【００３６】
本発明によれば、広告実績送信部は、前記広告操作記憶部に記憶される広告操作の実績を広告管理サーバ装置に送信する。前記広告操作記憶部は、詳細情報を、ネットワークを介して取得する広告であると判断したとき、広告サーバ装置に広告操作の実績を送信しないことを表す送信抑止情報を広告操作の実績に付加して記憶する。そして、広告実績送信部は、送信抑止情報が広告操作の実績に付加されている広告操作の実績を送信しない。したがって、広告表示装置側で、詳細情報を、ネットワークを介して取得する広告についての実績を除外することができる。
【００３７】
また本発明によれば、広告実績送信部は、前記広告操作記憶部に記憶される広告操作の実績を広告管理サーバ装置に送信する。前記広告操作記憶部は、詳細情報を、ネットワークを介して取得する広告であると判断したとき、広告サーバ装置に広告操作の実績を送信しないことを表す送信抑止情報を広告操作の実績に付加して記憶する。そして、広告実績送信部は、送信抑止情報が広告操作の実績に付加されている広告操作の実績を送信する。
【００３８】
したがって、広告管理サーバ装置側で、詳細情報を、ネットワークを介して取得する広告についての実績を除外することができる。
【００３９】
また本発明によれば、前記広告操作記憶部は、取得先特定情報に含まれる文字列のうち広告の詳細情報を取得する取得先を特定する特定文字列に基づいて、詳細情報を、ネットワークを介して取得する広告であるのか、端末装置内に詳細情報が記憶されている広告であるのかを判断する。したがって、取得先特定情報に含まれる文字列によって判断することができる。
【００４０】
本発明によれば、前記広告操作の実績は、広告操作が行われた日時を表す広告操作日時データ、広告を特定する広告特定データ、および広告操作の種類を表す広告種類データを含む。したがって、ユーザは、広告操作の実績から、どの広告に対していつどのような広告操作が行われたかを知ることができる。
【００４１】
また本発明によれば、ネットワークを介して相互に接続される広告管理サーバ装置、広告サーバ装置および広告表示装置を含む広告管理システムで広告を管理するにあたって、広告管理サーバでは、広告属性データ取得部は、広告を取得する取得先を表す取得先特定情報を含む広告属性データを、広告サーバ装置から取得する。広告属性データ送信部は、広告属性データ取得部が取得した広告属性データを広告表示装置に送信する。広告実績取得部は、広告表示装置から送信された広告操作の実績を取得する。広告実績送信部は、広告実績取得部が取得した広告操作の実績に応じた広告実績データを生成し、生成した広告実績データを広告サーバ装置に送信する。また、広告表示装置では、広告属性データ受信部は、広告を取得する取得先を表す取得先特定情報を含む広告属性データを広告管理サーバ装置から受信する。広告データ受信部は、広告を表す広告画像データを広告サーバ装置から受信する。広告記憶部は、広告属性データ受信部が受信した広告属性データと、広告データ受信部が受信した広告画像データとを関連付けて記憶する。広告表示部は、広告画像データを広告として表示する。広告操作検出部は、広告表示部に表示された各広告中のいずれかを選択する広告操作が行われたことを検出する。広告操作記憶部は、広告操作検出部が広告表示部に表示された各広告中のいずれかを選択する広告操作が行われたことを検出すると、広告操作が行われた広告に関連付けられた広告属性データを広告記憶部から読み出し、読み出した広告属性データに含まれる取得先特定情報に基づいて、広告操作が行われた広告の詳細情報が、ネットワークを介して取得する広告であるのか、端末装置内に詳細情報が記憶されている広告であるのかを判断し、判断結果に応じて広告操作の実績を記憶する。そして、広告実績送信部は、前記広告操作記憶部に記憶される広告操作の実績を広告管理サーバ装置に送信する。したがって、広告の詳細情報が端末装置内にあっても端末装置外にあっても広告の詳細情報を取得する取得先の遷移を把握することができる。また、端末装置外にある広告の詳細情報にアクセスしたことを２重にカウントすることを防ぐことができる。したがって、広告主に対して、広告の操作に対する正確な広告料を請求することができる。
【００４２】
また本発明によれば、広告管理サーバ装置および広告サーバ装置にネットワークを介して接続される広告表示装置で実行される広告管理方法であって、広告属性データ受信ステップでは、広告を取得する取得先を表す取得先特定情報を含む広告属性データを広告管理サーバ装置から受信する。広告データ受信ステップでは、広告を表す広告画像データを広告サーバ装置から受信する。広告記憶ステップでは、広告属性データ受信ステップで受信した広告属性データと、広告データ受信ステップで受信した広告画像データとを関連付けて広告記憶部に記憶する。広告表示ステップでは、広告画像データを広告として表示する。広告操作検出ステップでは、広告表示ステップで表示された各広告中のいずれかを選択する広告操作が行われたことを検出する。そして、広告操作記憶ステップでは、広告操作検出ステップで、広告表示ステップで表示された各広告中のいずれかを選択する広告操作が行われたことを検出すると、広告操作が行われた広告に関連付けられた広告属性データを広告記憶部から読み出し、読み出した広告属性データに含まれる取得先特定情報に基づいて、広告操作が行われた広告の詳細情報が、ネットワークを介して取得する広告であるのか、端末装置内に詳細情報が記憶されている広告であるのかを判断し、判断結果に応じて広告操作の実績を記憶する。したがって、広告の詳細情報が端末装置内にあっても端末装置外にあっても広告の詳細情報を取得する取得先の遷移を把握することができる。また、端末装置外にある広告の詳細情報にアクセスしたことを２重にカウントすることを防ぐことができる。したがって、広告主に対して、広告の操作に対する正確な広告料を請求することができる。
【００４３】
本発明によれば、広告管理サーバ装置および広告サーバ装置にネットワークを介して接続され、コンピュータを含む広告表示装置のコンピュータに、広告を取得する取得先を表す取得先特定情報を含む広告属性データを広告管理サーバ装置から受信する広告属性データ受信ステップと、広告を表す広告画像データを広告サーバ装置から受信する広告データ受信ステップと、広告属性データ受信ステップで受信した広告属性データと、広告データ受信ステップで受信した広告画像データとを関連付けて広告記憶部に記憶する広告記憶ステップと、広告画像データを広告として表示する広告表示ステップと、広告表示ステップで表示された各広告中のいずれかを選択する広告操作が行われたことを検出する広告操作検出ステップと、広告操作検出ステップで、広告表示ステップで表示された各広告中のいずれかを選択する広告操作が行われたことを検出すると、広告操作が行われた広告に関連付けられた広告属性データを広告記憶部から読み出し、読み出した広告属性データに含まれる取得先特定情報に基づいて、広告操作が行われた広告の詳細情報が、ネットワークを介して取得する広告であるのか、端末装置内に詳細情報が記憶されている広告であるのかを判断し、判断結果に応じて広告操作の実績を記憶する広告操作記憶ステップと、を実行させるためのプログラムとして提供することができる。
【図面の簡単な説明】
【００４４】
【図１】本発明の第１の実施形態である広告管理システム１の構成を示すブロック図である。
【図２】端末装置１０の構成を示すブロック図である。
【図３】広告管理サーバ２０の構成を示すブロック図である。
【図４】端末装置１０の外観を示す図である。
【図５】広告入稿データ４１のデータ構造を示す図である。
【図６】第１の広告データ４２のデータ構造を示す図である。
【図７】第２の広告データ４３のデータ構造を示す図である。
【図８】記録ログデータ４４のデータ構造を示す図である。
【図９】送信ログデータ４５のデータ構造を示す図である。
【図１０】広告解析データ４６のデータ構造を示す図である。
【図１１】広告レポートデータ４７のデータ構造を示す図である。
【図１２】ログ種別とパラメータとの関係を示す対応テーブル４８を示す図である。
【図１３】広告特定パラメータ４９の構成を示す図である。
【図１４】遷移先種別４９４を説明するための図である。
【図１５】広告入稿画面６０の一例を示す図である。
【図１６】メニュー画面の例を示す図である。
【図１７】詳細情報画面の例を示す図である。
【図１８】広告レポートリスト６７の一例を示す図である。
【図１９】広告入稿処理の処理手順を示すフローチャートである。
【図２０】解析レポート出力処理の処理手順を示すフローチャートである。
【図２１】解析レポート作成処理の処理手順を示すフローチャートである。
【図２２】広告ログ記録処理の処理手順を示すフローチャートである。
【図２３】アプリ起動処理の処理手順を示すフローチャートである。
【図２４】コンテンツ表示処理の処理手順を示すフローチャートである。
【図２５】第２広告データ生成処理の処理手順を示すフローチャートである。
【図２６】第２の広告データ４３ａのデータ構造を示す図である。
【図２７】広告特定パラメータ４９ａの構成を示す図である。
【発明を実施するための形態】
【００４５】
図１は、本発明の第１の実施形態である広告管理システム１の構成を示すブロック図である。広告管理システム１は、端末装置１０、広告管理サーバ２０および広告サーバ３０を含んで構成される。
【００４６】
端末装置１０、広告管理サーバ２０および広告サーバ３０は、通信網、たとえばネットワーク２に接続され、ネットワーク２を介してそれぞれ相互に情報を送受信する。図１には、端末装置１０を１台しか記載していないが、複数台の端末装置１０がネットワーク２に接続可能である。ネットワーク２は、ローカルエリアネットワーク（Local Area Network：以下「ＬＡＮ」という）あるいはワイドエリアネットワーク（Wide Area Network：以下「ＷＡＮ」という）などのネットワークからなる通信網であり、たとえばインターネットなどによって構成されてもよい。端末装置１０は、直接ネットワーク２に接続されてもよいし、端末装置１０が、たとえば携帯電話装置の場合は、基地局に設置される通信設備を介してネットワーク２に接続される構成であってもよい。
【００４７】
図２は、端末装置１０の構成を示すブロック図である。端末装置１０は、たとえば携帯電話装置などの携帯端末装置によって構成される。以下、端末装置１０が携帯電話装置である場合を例にして説明する。端末装置１０は、広告主が使用することもできるし、広告を閲覧するユーザが使用することもできる。
【００４８】
端末装置１０は、広告主が使用する場合、広告サーバ３０への広告の入稿を行い、ユーザが広告にアクセスした回数等を表す解析レポートを広告サーバ３０から受けとって表示するために用いられる。入稿とは、広告の原稿を作成して広告サーバ３０に記憶させることである。広告サーバ３０に記憶された広告は、広告管理サーバ２０に送られ、ユーザが使用する端末装置１０の要求に応じて、広告管理サーバ２０から端末装置１０に送信される。端末装置１０は、ユーザが使用する場合、広告管理サーバ２０から提供される広告を表示し、表示された広告の中から選択された広告の詳細情報を表示するために用いられる。端末装置１０は、選択された広告の詳細情報が端末装置１０内に記憶されていれば、記憶されている詳細情報を表示し、選択された広告の詳細情報が端末装置１０内に記憶されていなければ、広告サーバ３０からダウンロードして表示する。
【００４９】
広告表示装置である端末装置１０は、端末装置中央処理装置（Central Processing Unit：以下「ＣＰＵ」という）１１、端末装置記憶部１２、端末装置一時記憶部１３、端末装置操作部１４、端末装置通信部１５、表示部１６、音声入出力部１７、アンテナ１８および図示しない計時部を含んで構成される。
【００５０】
広告操作検出部である端末装置ＣＰＵ１１は、たとえばＣＰＵによって構成され、端末装置記憶部１２に記憶されるプログラムを実行することによって、端末装置操作部１４、端末装置通信部１５、表示部１６、音声入出力部１７および図示しない計時部を制御する。
【００５１】
広告記憶部および広告操作記憶部である端末装置記憶部１２は、不揮発性の大容量の記憶装置、たとえばフラッシュメモリなどの半導体メモリ、またはハードディスク装置（Hard Disk Drive：以下「ＨＤＤ」という）などによって構成される。端末装置記憶部１２は、端末装置ＣＰＵ１１によって実行されるプログラム、および端末装置ＣＰＵ１１がプログラムを実行するために必要な情報を記憶する。端末装置記憶部１２に記憶される情報は、端末装置ＣＰＵ１１によって書き込みおよび読み出しが行われる。
【００５２】
端末装置一時記憶部１３は、書き込み速度および読み出し速度が端末装置記憶部１２よりも高速で揮発性の記憶装置、たとえばダイナミックランダムアクセスメモリ（Dynamic Random Access Memory：以下「ＤＲＡＭ」という）などの半導体メモリによって構成され、端末装置ＣＰＵ１１がプログラムを実行するために必要な情報を一時的に記憶するワークメモリである。端末装置一時記憶部１３に記憶される情報は、端末装置ＣＰＵ１１によって書き込みおよび読み出しが行われる。
【００５３】
端末装置操作部１４は、後述する操作ボタンおよびタッチパネルによって構成される。端末装置操作部１４は、操作された操作ボタンに対応付けられている情報を端末装置ＣＰＵ１１に送る。また、タッチパネルは、表示部１６の表示画面上に実装されている。端末装置操作部１４は、タッチペンや指などの指示具によってタッチパネルに触れられた位置を表す位置情報を端末装置ＣＰＵ１１に送る。端末装置ＣＰＵ１１は、受け取った位置情報が示す位置と、表示画面に表示している項目やボタンの表示位置とに基づいて、表示部１６に表示されている項目やボタンのうち、どの項目が選択されたか、およびどのボタンが操作されたかを認識する。以下、表示部１６の表示画面に表示されている項目やボタンなどの位置のタッチパネルに触れることを、クリックする、あるいはタップするという。
【００５４】
広告属性データ受信部、広告データ受信部および広告実績送信部である端末装置通信部１５は、無線通信によって基地局の通信設備を介してネットワーク２に接続され、ネットワーク２に接続される他の装置、たとえば広告管理サーバ２０および広告サーバ３０と情報の送受信を行う通信装置によって構成される。基地局の通信設備は、携帯電話回線網による通信を制御する。端末装置通信部１５は、端末装置ＣＰＵ１１から受け取る情報を、ネットワーク２を介して端末装置ＣＰＵ１１から指示される他の装置に送信し、ネットワーク２を介して他の装置から受け取る情報を端末装置ＣＰＵ１１に送る。通信方式は、ＩＥＥＥ（Institute of Electrical and Electronic Engineers）８０２．１１無線通信方式であるが、Ｂｌｕｅｔｏｏｔｈ(登録商標)あるいはＺｉｇｂｅｅ(登録商標)などであってもよい。
【００５５】
広告表示部である表示部１６は、たとえば液晶パネルなどの表示装置によって構成される。表示部１６は、表示画面を有し、端末装置ＣＰＵ１１から受け取る情報、たとえば画像情報を表示画面に表示する。音声入出力部１７は、たとえばスピーカおよびマイクロフォンを含んで構成され、主に電話機能を利用するために用いられる。音声入出力部１７は、端末装置ＣＰＵ１１から受け取る情報をスピーカによって音として出力し、マイクロフォンで収集した音を表す音情報を端末装置ＣＰＵ１１に送る。
【００５６】
アンテナ１８は、基地局から送信されてくる電波を受信して電気信号に変換して端末装置通信部１５に送り、端末装置通信部１５から受け取る電気信号を電波として出力する。図示しない計時部は、時刻を計時する。端末装置ＣＰＵ１１は、計時部を参照することによって、時刻を認識することができる。
【００５７】
図３は、広告管理サーバ２０の構成を示すブロック図である。広告管理サーバ装置である広告管理サーバ２０は、広告サーバ３０から受信する広告を記憶し、記憶した広告を端末装置１０に提供し、提供した広告に対するクリック回数を広告サーバ３０に通知する。クリック回数は、端末装置１０で、端末装置１０に表示される広告の項目をユーザがタッチペンなどでクリックした回数である。
【００５８】
広告管理サーバ２０は、ＣＰＵ２１、記憶部２２、一時記憶部２３、操作部２４および通信部２５を含んで構成される。ＣＰＵ２１は、たとえばＣＰＵによって構成され、記憶部２２に記憶されるプログラムを実行することによって、操作部２４および通信部２５を制御する。
【００５９】
記憶部２２は、不揮発性の大容量の記憶装置、たとえばＨＤＤなどによって構成される。記憶部２２は、ＣＰＵ２１によって実行されるプログラム、およびＣＰＵ２１がプログラムを実行するために必要な情報を記憶する。記憶部２２に記憶される情報は、ＣＰＵ２１によって書き込みおよび読み出しが行われる。
【００６０】
一時記憶部２３は、書き込み速度および読み出し速度が記憶部２２よりも高速で揮発性の記憶装置、たとえばＤＲＡＭなどの半導体メモリによって構成され、ＣＰＵ２１がプログラムを実行するために必要な情報を一時的に記憶するワークメモリである。一時記憶部２３に記憶される情報は、ＣＰＵ２１によって書き込みおよび読み出しが行われる。
【００６１】
操作部２４は、たとえばキーボートおよびマウスなどの入力装置によって構成される。操作部２４は、入力された情報をＣＰＵ２１に送る。通信部２５は、たとえばイーサネット(登録商標)などの有線ＬＡＮによってネットワーク２に接続され、ネットワーク２に接続される他の装置、たとえば端末装置１０および広告サーバ３０と情報の送受信を行う通信装置によって構成される。通信部２５は、ＣＰＵ２１から受け取る情報を、ネットワーク２を介して、ＣＰＵ２１から指示される他の装置に送信し、ネットワーク２を介して他の装置から受け取る情報をＣＰＵ２１に送る。
【００６２】
広告属性データ取得部、取得先判断部、取得先種別データ付与部、広告属性データ送信部、広告実績報告データ抽出部、および広告実績送信部は、広告管理サーバ２０のＣＰＵ２１である。
【００６３】
広告サーバ装置である広告サーバ３０は、入稿された広告を広告管理サーバ２０に送る。広告サーバ３０のハードウエア構成は、広告管理サーバ２０と同じであり、重複を避けるために説明は省略する。
【００６４】
図４は、端末装置１０の外観を示す図である。端末装置１０は、電源ボタン１４１、戻るボタン１４２、ホームボタン１４３およびトラックボール１４４を含む。電源ボタン１４１、戻るボタン１４２、ホームボタン１４３およびトラックボール１４４は、端末装置操作部１４に含まれる。
【００６５】
電源ボタン１４１は、端末装置１０の電源の投入および切断を行うため、および省電力となる休止状態への遷移および休止状態からの復帰を行うための操作ボタンである。電源ボタン１４１を長押しすることによって電源の投入および切断が行われ、電源ボタン１４１を短押しすることによって休止状態への遷移および休止状態からの復帰が行われる。
【００６６】
戻るボタン１４２は、１つ前の画面に戻るための操作ボタンである。ホームボタン１４３は、初期画面（以下「待ち受け画面」ともいう）に戻るための操作ボタンである。トラックボール１４４は、画面に表示されるフォーカスを移動するための操作ボタンである。
【００６７】
表示部１６の表示画面上には、タッチパネルが設けられており、ユーザは表示画面に表示されている項目やボタンの位置に触れることによって、項目を選択し、あるいはボタンを操作することができる。また、画面に表示されるフォーカスを移動することによっても項目やボタンを選択することができる。
【００６８】
図５は、広告入稿データ４１のデータ構造を示す図である。広告入稿データ４１は、広告主が端末装置１０から入力するデータであり、広告サーバ３０に記憶される。広告入稿データ４１は、「広告枠識別情報（Identification：以下「ＩＤ」という）」４１１、「キャンペーン名称」４１２、「有効期間」４１３、「広告名称」４１４、「有効期間」４１５、「ジャンプ先統一資源位置指定子（Uniform Resource Locator：以下「ＵＲＬ」という）」４１６および「画像データ」４１７の項目を含む。
【００６９】
「広告枠ＩＤ」４１１は、広告枠を特定するＩＤ、つまり広告枠を識別するための広告枠識別情報である。「キャンペーン名称」４１２は、キャンペーンの名前である。キャンペーンは、広告キャンペーンとも呼ばれるもので、入稿される複数の広告をまとめる単位である。１つの広告枠には、１つ以上のキャンペーンが対応する。１つの広告枠には、必ずしも１種類の広告のみが表示されるのではなく、表示の切り換えの度に、別の広告を表示することが一般に行われている。すなわち、キャンペーンは、１つの広告枠に多くの広告を表示する必要がある場合を想定したものである。たとえば、広告主単位に、キャンペーンを定義することよって、複数の広告主それぞれがキャンペーンを定義し、複数の広告をそのキャンペーンにまとめて１つの広告枠に対して入稿することを可能とする。通常、１キャンペーン内には、同じ広告主の広告が複数入稿される。
【００７０】
「有効期間」４１３は、キャンペーンの有効期間である。つまり、キャンペーンに含まれる広告が端末装置１０に表示される期間である。「広告名称」４１４は、広告の名前である。「有効期間」４１５は、広告の有効期間である。つまり、広告が端末装置１０に表示される期間である。「ジャンプ先ＵＲＬ」４１６は、広告がタップされたときに、タップされた広告の詳細情報を取得するためにジャンプ、つまり遷移する遷移先のＵＲＬ（以下、「ジャンプ先ＵＲＬ」という）である。すなわち、「ジャンプ先ＵＲＬ」４１６が示すジャンプ先ＵＲＬは、広告の詳細情報を提供する広告主などが管理するサーバのＵＲＬであり、端末装置１０は、そのＵＲＬから広告の詳細情報を取得することができる。ジャンプ先ＵＲＬは、取得先特定情報である。「画像データ」４１７は、表示画面に表示するための広告画像のデータ（以下「広告画像データ」という）である。画像データのデータ形式は、たとえばＪＰＥＧ（Joint Photographic Experts Group）、ＰＮＧ（Portable Network Graphics）あるいはＧＩＦ（Graphic Interchange Format）である。
【００７１】
「キャンペーン名称」４１２、「有効期間」４１３、「広告名称」４１４、「有効期間」４１５、「ジャンプ先ＵＲＬ」４１６および「画像データ」４１７の組み合わせは、キャンペーンの数だけ繰り返される。各キャンペーンに含まれるこの組み合わせには、第１番目の「広告名称」４１４、「有効期間」４１５、「ジャンプ先ＵＲＬ」４１６および「画像データ」４１７が含まれる。第１番目の「広告名称」４１４、「有効期間」４１５、「ジャンプ先ＵＲＬ」４１６および「画像データ」４１７の後に、同じキャンペーンに含まれる第２番目以降の広告の「広告名称」４１４、「有効期間」４１５、「ジャンプ先ＵＲＬ」４１６および「画像データ」４１７が、第２番目以降の広告の数だけ繰り返される。
【００７２】
図５に示した広告入稿データ４１には、各項目の値の例（図では「値例」という）として、「広告枠ＩＤ」４１１については、「０００１」と示されている。「０００１」は、広告枠１（図では「枠１」という）の広告枠ＩＤであり、「０００２」は、広告枠２（図では「枠２」という）の広告枠ＩＤである。「キャンペーン名称」４１２については、「枠２、キャンペーン０１」と示されている。「キャンペーン名称」４１２が「枠２、キャンペーン０１」であることを示している。「有効期間」４１３については、「２０１１／５／１−２０１１／６／３０」と示されている。キャンペーンの有効期限が、２０１１年５月１日から２０１１年６月３０日までであることを示している。「広告名称」４１４については、「新刊のお知らせ」と示されている。「有効期間」４１５については、「２０１１／５／１−２０１１／５／３１」と示されている。広告の有効期限が、２０１１年５月１日から２０１１年５月３１日までであることを示している。「ジャンプ先ＵＲＬ」４１６については、「ｈｔｔｐ：／／ｗｗｗ.ｓｔｏｒｅ.ａａａ.ｊｐ／１００００００１」と示されている。「画像データ」４１７については、「（画像データ）」と示されている。「（画像データ）」は、コード化された広告画像データであることを示している。
【００７３】
図６は、第１の広告データ４２のデータ構造を示す図である。第１の広告属性データである第１の広告データ４２は、広告サーバ３０が広告入稿データ４１から変換したデータであり、広告サーバ３０から広告管理サーバ２０に送信される。第１の広告データ４２は、「広告枠ＩＤ」４２１、「キャンペーンＩＤ」４２２、「有効期間」４２３、「広告ＩＤ」４２４、「有効期間」４２５、「ジャンプ先ＵＲＬ」４２６および「広告画像ＵＲＬ」４２７の項目を含む。
【００７４】
「キャンペーンＩＤ」４２２は、キャンペーンを特定するＩＤ、つまりキャンペーンを識別するためのキャンペーン識別情報である。「広告ＩＤ」４２４は、広告を特定するＩＤ、つまり広告を識別するための広告識別情報である。「広告画像ＵＲＬ」４２７は、広告画像の取得先となるＵＲＬである。すなわち、「広告画像ＵＲＬ」４２７が示す広告画像ＵＲＬは、広告画像を提供する広告サーバ３０のＵＲＬであり、端末装置１０は、そのＵＲＬから広告画像を取得することができる。「広告枠ＩＤ」４２１、「有効期間」４２３、「有効期間」４２５および「ジャンプ先ＵＲＬ」４２６は、図５に示した広告入稿データ４１の「広告枠ＩＤ」４１１、「有効期間」４１３、「有効期間」４１５および「ジャンプ先ＵＲＬ」４１６と同じであり、重複を避けるために説明は省略する。
【００７５】
「キャンペーンＩＤ」４２２、「有効期間」４２３、「広告ＩＤ」４２４、「有効期間」４２５、「ジャンプ先ＵＲＬ」４２６および「広告画像ＵＲＬ」４２７の組み合わせは、キャンペーンの数だけ繰り返される。各キャンペーンに含まれるこの組み合わせには、第１番目の「広告ＩＤ」４２４、「有効期間」４２５、「ジャンプ先ＵＲＬ」４２６および「広告画像ＵＲＬ」４２７が含まれる。第１番目の「広告ＩＤ」４２４、「有効期間」４２５、「ジャンプ先ＵＲＬ」４２６および「広告画像ＵＲＬ」４２７の後に、同じキャンペーンに含まれる第２番目以降の広告の「広告ＩＤ」４２４、「有効期間」４２５、「ジャンプ先ＵＲＬ」４２６および「広告画像ＵＲＬ」４２７が、第２番目以降の広告の数だけ繰り返される。
【００７６】
図６に示した第１の広告データ４２には、各項目の値の例として、「キャンペーンＩＤ」４２２については、「２００００００１」と示されている。「広告ＩＤ」４２４については、「３００００００１」と示されている。「広告画像ＵＲＬ」４２７については、「ｈｔｔｐ：／／ｘｘｘ．ａｄ．ｊｐ／ｃ／０００１．ｊｐｇ」と示されている。たとえば、広告サーバ３０の記憶領域のパス「／ｕｓｒ／ｌｏｃａｌ／ｈｔｔｐｄ／ｈｔｍｌ／」が、広告サーバ３０のＷｅｂサーバのルートディレクトリとして設定されている場合、広告画像を「／ｕｓｒ／ｌｏｃａｌ／ｈｔｔｐｄ／ｈｔｍｌ／ｃ／０００１．ｊｐｇ」として配置すると、「ｈｔｔｐ：／／ｘｘｘ．ａｄ．ｊｐ／ｃ／０００１．ｊｐｇ」というＵＲＬで、広告画像にアクセスすることができる。
【００７７】
図７は、第２の広告データ４３のデータ構造を示す図である。第２の広告属性データである第２の広告データ４３は、広告管理サーバ２０が第１の広告データ４２から変換したデータであり、広告管理サーバ２０から端末装置１０に送信される。第２の広告データ４３は、「広告枠ＩＤ」４３１、「キャンペーンＩＤ」４３２、「有効期間」４３３、「広告ＩＤ」４３４、「有効期間」４３５、「ジャンプ先ＵＲＬ」４３６、「広告画像ＵＲＬ」４３７および「広告特定パラメータ」４３８の項目を含む。
【００７８】
「ジャンプ先ＵＲＬ」４２６は、図７に示した第１の広告データ４２の「ジャンプ先ＵＲＬ」４２６に、ジャンプスキーム、またはジャンプスキームおよびクリックスルーＵＲＬを付加したものである。ジャンプスキームは、広告の詳細情報を取得する取得先の種類を表す修飾子である。クリックスルーＵＲＬは、第１の広告データ４２の「ジャンプ先ＵＲＬ」４２６が示す遷移先のＵＲＬのサーバに遷移する前に、広告管理サーバ２０に遷移させるための加工を行ったＵＲＬである。ジャンプスキームの具体例については、図１４で後述する。クリックスルーＵＲＬの具体例については、図２４で後述する。ジャンプスキームは、取得先種別データである。
【００７９】
「広告特定パラメータ」４３８は、広告を特定するためのパラメータであり、後述する記録ログデータ４４のログパラメータ２の広告特定パラメータとなる。「広告枠ＩＤ」４３１、「キャンペーンＩＤ」４３２、「有効期間」４３３、「広告ＩＤ」４３４、「有効期間」４３５および「広告画像ＵＲＬ」４３７は、図６に示した第１の広告データ４２の「広告枠ＩＤ」４２１、「キャンペーンＩＤ」４２２、「有効期間」４２３、「広告ＩＤ」４２４、「有効期間」４２５および「広告画像ＵＲＬ」４２７と同じであり、重複を避けるために説明は省略する。
【００８０】
図７に示した第２の広告データ４３には、各項目の値の例として、「ジャンプ先ＵＲＬ」４２６については、「ｊｍｐ：／／ｓｈｏｐａｐｐ：ｕｒｌ＝ｈｔｔｐ：／／ｙｙｙ.ｃｋｃｏｕｎｔ.ｊｐ／ｃｏｕｎｔ？ａｄｉｄ＝３０００００００１＆ｊｕｒｌ＝ｈｔｔｐ：／／ｗｗｗ.ｓｔｏｒｅ.ａａａ.ｊｐ／１００００００１」と示されている。「広告特定パラメータ」４３８については、「０００１：２００００００１：３００００００１」と示されている。キャンペーンの繰り返し数および広告の繰り返し数は、図７に示した第１の広告データ４２と同じである。
【００８１】
図８は、記録ログデータ４４のデータ構造を示す図である。広告実績データである記録ログデータ４４は、端末装置１０が生成して、端末装置記憶部１２に記憶するログのデータである。記録ログデータ４４は、「記録時間」４４１、「ログ種別」４４２、「ログ型」４４３、「ログパラメータ１」４４４、「ログパラメータ２」４４５および「ログパラメータ３」４４６の項目を含む。ログは、広告操作の実績である。
【００８２】
「記録時間」４４１は、ログを記録した記録時間である。記録時間は、端末装置ＣＰＵ１１がログを生成し、生成したログを記録ログデータ４４として端末装置記憶部１２に記憶した日時である。端末装置ＣＰＵ１１は、端末装置１０に含まれる図示しない計時部を参照することによって、日時を認識する。
【００８３】
「ログ種別」４４２は、ログの種別を特定するログ種別識別情報である。ログ種別には、広告表示開始、広告表示終了、広告表示開始終了、および広告操作がある。広告表示開始は、広告の表示を開始したことを表すログである。広告表示終了は、広告の表示を終了したことを表すログである。広告表示開始終了は、広告表示開始と広告表示終了とをマージ、つまり結合したログである。広告操作は、広告がタップされて、広告の詳細情報を表示したことを表すログである。「ログ型」４４３は、ログの型を示す。ログ型「１」は、開始−終了型であることを示す。「ログパラメータ１」４４４、「ログパラメータ２」４４５および「ログパラメータ３」４４６は、ログとして記録する内容であり、その内容は、「ログ種別」４４２が示すログの種別に応じて変化する。「ログ種別」４４２、「ログパラメータ１」４４４、「ログパラメータ２」４４５および「ログパラメータ３」４４６については、図１２で詳述する。
【００８４】
図８に示した記録ログデータ４４には、各項目の値の例として、「ログ種別」４４２については、「０００１」と示されている。「ログ型」４４３については、「１」と示されている。「ログパラメータ１」４４４については、「２０１１−０３−３０Ｔ１３：３７：１３＋０９：００」と示されている。「２０１１−０３−３０Ｔ１３：３７：１３＋０９：００」は、技術仕様「ＲＦＣ３３３９」に規定される時刻形式で表される時刻である。「＋０９：００」は、協定世界時（ＵＴＣ）２０１１年３月３０日１３時３７分１３秒からのオフセット時間であり、プラス９時間で日本標準時（ＪＳＴ）を表すことを示している。「ログパラメータ２」４４５については、「ｆ１３ｃ／１００００００１：２００００００１：３００００００１：０００１」と示されている。「ログパラメータ３」４４６については、空欄であり、ログパラメータ３はないことを示している。
【００８５】
図９は、送信ログデータ４５のデータ構造を示す図である。広告実績データである送信ログデータ４５は、端末装置１０が、記録ログデータ４４に基づいて生成し、広告管理サーバ２０に送信するデータである。送信ログデータ４５は、「機種情報」４５１、「ユーザＩＤ」４５２、「端末ＩＤ」４５３、「ログ種別」４５４、「記録時間」４５５および「パラメータ」４５６の項目を含む。
【００８６】
「機種情報」４５１は、端末装置１０の機種を表す情報であり、予め端末装置記憶部１２に記憶されている。「ユーザＩＤ」４５２は、ユーザを識別するためのユーザ識別情報であり、予め各ユーザに割り当てられて、端末装置記憶部１２に記憶されている。「端末ＩＤ」４５３は、各端末装置１０を識別するための端末識別情報であり、予め各端末装置１０に割り当てられて、端末装置記憶部１２に記憶されている。「パラメータ」４５６は、図８に示した記録ログデータ４４の「ログパラメータ１」４４４、「ログパラメータ２」４４５および「ログパラメータ３」４４６の内容を「／」で区切って連結した内容である。「ログ種別」４５４および「記録時間」４５５は、図８に示した記録ログデータ４４の「ログ種別」４４２および「記録時間」４４１と同じであり、重複を避けるために説明は省略する。「ログ種別」４５４、「記録時間」４５５および「パラメータ」４５６の組み合わせは、ログの数だけ繰り返される。
【００８７】
図１０は、広告解析データ４６のデータ構造を示す図である。広告解析データ４６は、広告管理サーバ２０が、送信ログデータ４５に基づいて、広告ＩＤごとに生成し、広告サーバ３０に送信するデータである。広告解析データ４６は、「広告ＩＤ」４６１、「表示数」４６２および「クリック数」４６３の項目を含む。
【００８８】
「表示数」４６２は、「広告ＩＤ」４６１によって特定される広告を表示した回数である。「クリック数」４６３は、表示された広告がクリックされた回数、つまりタップされた回数である。ただし、端末装置１０で計測された分は除かれる。
【００８９】
図１０に示した広告解析データ４６には、各項目の値の例として、「広告ＩＤ」４６１については、「３００００００１」と示されている。「表示数」４６２については、「２０３３」と示されている。「クリック数」４６３については、「（対象外」と示されている。すなわち、すべてのクリックが端末装置１０側で行われたことを示している。
【００９０】
図１１は、広告レポートデータ４７のデータ構造を示す図である。広告レポートデータ４７は、広告サーバ３０が、広告解析データ４６に基づいて、広告ＩＤごとに生成し、端末装置１０に送信するデータである。広告レポートデータ４７は、「広告ＩＤ」４７１、「広告名称」４７２、「広告画像ＵＲＬ」４７３、「表示数」４７４および「クリック数」４７５の項目を含む。
【００９１】
「広告ＩＤ」４７１および「広告画像ＵＲＬ」４７３は、図６に示した第１の広告データ４２の「広告ＩＤ」４２４および「広告画像ＵＲＬ」４２７と同じであり、「広告名称」４７２は、図５に示した広告入稿データ４１の「広告名称」４１４と同じであり、「表示数」４７４および「クリック数」４７５は、図１０に示した広告解析データ４６の「表示数」４６２および「クリック数」４６３と同じであり、重複を避けるために説明は省略する。「クリック数」４６３は、広告サーバ３０で計数された値である。
【００９２】
図１２は、ログ種別とパラメータとの関係を示す対応テーブル４８を示す図である。「ログ種別」４４２には、「０００１ｓ」、「０００１ｅ」、「０００１（マージ後）」および「０００２」がある。「０００１ｓ」は、広告表示開始、つまり広告表示を開始した時刻を記録するログである。「０００１ｅ」は、広告表示終了、つまり広告表示を終了した時刻を記録するログである。「０００１（マージ後）」は、広告表示開始終了、つまり広告表示開始および広告表示終了のログをマージしたログである。「０００２」は、広告タップ時に記録するログである。
【００９３】
「ログパラメータ１」４４４、「ログパラメータ２」４４５および「ログパラメータ３」４４６は、「ログ種別」４４２が「０００１ｓ」の場合、それぞれ「広告表示開始時刻」、「広告特定パラメータ」および「（空）」である。「（空）」は空欄のことであり、そのパラメータは使用しないことを示す。「ログ種別」４４２が「０００１ｅ」の場合、それぞれ「広告表示開始時刻」、「広告特定パラメータ」および「広告表示終了時刻」である。「ログ種別」４４２が「０００１（マージ後）」の場合、それぞれ「広告表示開始時刻」、「経過時間／広告特定パラメータ」および「（空）」である。経過時間は、「広告表示終了時刻」から「広告表示開始時刻」を減算した時間のことである。「ログ種別」４４２が「０００２」の場合、それぞれ「イベント時刻」、「広告特定パラメータ」および「（空）」である。「イベント時刻」は、広告をタップしたことを表すログを端末装置記憶部１２に記憶した日時である。
【００９４】
図１３は、広告特定パラメータ４９の構成を示す図である。広告特定パラメータ４９は、「広告ＩＤ」４９１、「キャンペーンＩＤ」４９２、「広告ＩＤ」４９３および「遷移先種別」４９４の項目を含む。
【００９５】
「遷移先種別」４９４は、遷移先の種別を識別するための遷移先種別識別情報である。遷移先とは、広告の詳細情報を取得する取得先のことである。「遷移先種別」４９４が「０００１」であると、端末外ジャンプ型であることを示し、「０００２」であると、端末遷移型であることを示す。「遷移先種別」４９４については、図１４で詳述する。「広告枠ＩＤ」４９１は、図５に示した広告入稿データ４１の「広告枠ＩＤ」４１１と同じであり、「キャンペーンＩＤ」４９２および「広告ＩＤ」４９３は、図６に示した第１の広告データ４２の「キャンペーンＩＤ」４２２および「広告ＩＤ」４２４と同じであり、重複を避けるために説明は省略する。広告特定パラメータ４９は、「広告ＩＤ」４９１、「キャンペーンＩＤ」４９２、「広告ＩＤ」４９３および「遷移先種別」４９４の内容が「：（コロン）」で区切られて連結される情報である。「０００１」の遷移先種別は、指示情報および送信抑止情報である。
【００９６】
図１３に示した広告特定パラメータ４９には、各項目の値の例として、「広告枠ＩＤ」４９１については、「０００１」と示されている。「キャンペーンＩＤ」４９２については、「２００００００１」と示されている。「広告ＩＤ」４９３については、「３００００００１」と示されている。「遷移先種別」４９４については、「０００２」と示されている。
【００９７】
図１４は、遷移先種別４９４を説明するための図である。遷移先種別４９４は、広告の詳細情報の取得先の種別を表す情報であり、遷移先種別４９４には、端末外ジャンプ型と端末遷移型とがある。端末外ジャンプ型は、広告の詳細情報の取得先が、端末装置１０以外のサーバ装置である型である。端末遷移型は、広告の詳細情報の取得先が、端末装置１０の端末装置記憶部１２である型である。
【００９８】
端末外ジャンプ型には、ウェブ（以下「Ｗｅｂ」ともいう）ジャンプとショップジャンプとがある。Ｗｅｂジャンプは、ＷｅｂブラウザによってＷｅｂサーバ、たとえば広告サーバ３０のＵＲＬから、広告の詳細情報を取得する型である。すなわち、ネットワーク２を介して取得する広告型である。ショップジャンプは、Ｗｅｂ上に形成されるショップ、つまり店舗にアクセスするアプリケーションプログラムによって、当該店舗にアクセスし、当該店舗から広告の詳細情報を取得する型である。端末遷移型は、ビューアなどのアプリケーションプログラムによって、端末装置記憶部１２に記憶される広告の詳細情報を取得する型である。すなわち、広告データが端末装置記憶部１２に記憶されている型である。ビューアは、たとえばブックビューア（以下「書籍ビューア」ともいう）である。
【００９９】
図１４に示した遷移先種別４９４には、遷移先種別４９４と、ジャンプスキーム、および第２の広告データ４３のジャンプ先ＵＲＬ４３６との対応例が示されている。ジャンプスキームは、遷移先種別４９４が「０００１」でＷｅｂジャンプの場合、「ｊｍｐ：／／ｗｅｂａｐｐ？ｕｒｌ＝」であり、遷移先種別４９４が「０００１」でショップジャンプの場合、「ｊｍｐ：／／ｓｈｏｐａｐｐ？ｕｒｌ＝」であり、遷移先種別４９４が「０００２」の場合、「ｊｍｐ：／／ｖｉｅｗｅｒ？ｕｒｌ＝」である。
【０１００】
また、遷移先種別４９４が「０００１」の場合、ジャンプスキームにクリックスルーＵＲＬが付加される。クリックスルーＵＲＬは、「ｈｔｔｐ：／／ｙｙｙ.ｃｋｃｏｕｎｔ.ｊｐ／ｃｏｕｎｔ？ａｄｉｄ＝３０００００００１＆ｊｕｒｌ＝」である。
【０１０１】
ジャンプ先ＵＲＬ４３６は、遷移先種別４９４が「０００１」でＷｅｂジャンプの場合、「ｊｍｐ：／／ｗｅｂａｐｐ？ｕｒｌ＝ｈｔｔｐ：／／ｙｙｙ.ｃｋｃｏｕｎｔ.ｊｐ／ｃｏｕｎｔ？ａｄｉｄ＝３０００００００１＆ｊｕｒｌ＝ｈｔｔｐ：／／ｗｗｗ.ａａａ.ｂｂｂ.ｊｐ」であり、遷移先種別４９４が「０００１」でショップジャンプの場合、「ｊｍｐ：／／ｓｈｏｐａｐｐ？ｕｒｌ＝ｈｔｔｐ：／／ｙｙｙ.ｃｋｃｏｕｎｔ.ｊｐ／ｃｏｕｎｔ？ａｄｉｄ＝３０００００００１＆ｊｕｒｌ＝ｈｔｔｐ：／／ｗｗｗ.ｓｔｏｒｅ.ａａａ.ｊｐ／１００００００１」であり、遷移先種別４９４が「０００２」の場合、「ｊｍｐ：／／ｖｉｅｗｅｒ？ｕｒｌ＝ｂｋ：／／１００００００１？ｐａｇｅ＝５＆ａｌｔｕｒｌ＝ｈｔｔｐ：／／ｗｗｗ.ｓｔｏｒｅ.ａａａ.ｊｐ／１００００００１」である。遷移先種別４９４が「０００２」のジャンプ先ＵＲＬには、コンテンツＩＤおよびページ番号が含まれる。図１４に示した例では、「１００００００１」が詳細情報に相当するコンテンツのコンテンツＩＤであり、「ｐａｇｅ＝５」がページ番号、「ａｌｔｕｒｌ＝ｈｔｔｐ：／／ｗｗｗ.ｓｔｏｒｅ.ａａａ.ｊｐ／１００００００１」は、指定されたコンテンツＩＤが示す詳細情報が端末装置１０内に存在しない場合、指定したＵＲＬをショップアプリで開くための代替ＵＲＬである。
【０１０２】
図１５は、広告入稿画面６０の一例を示す図である。広告入稿画面６０は、広告主が広告を入稿するための画面、すなわち広告の原稿を作成するための画面である。広告入稿画面６０は、広告サーバ３０によって生成され、端末装置１０に送信されて、端末装置１０の表示部１６に表示される画面である。広告入稿画面６０には、「広告入稿画面」というタイトル、キャンペーン作成欄６００および広告作成欄６１０が設けられる。
【０１０３】
キャンペーン作成欄６００は、キャンペーンを作成するための入力欄であり、キャンペーン作成欄６００には、「キャンペーンの作成」というサブタイトル、「名称」という項目名が付された名称入力欄６０１、「広告枠」という項目名が付された広告枠選択欄６０２、「有効期限」という項目名が付された有効期限入力欄６０３、および作成ボタン６０４が設けられる。
【０１０４】
名称入力欄６０１は、キャンペーンの名称を入力するための入力欄である。広告枠選択欄６０２は、キャンペーンを対応付ける「枠１」および「枠２」のうちからいずれか１つを選択するための選択欄である。「枠１」および「枠２」のそれぞれに付された選択マークのいずれかにチェックを入れることによって選択することができる。有効期限入力欄６０３は、キャンペーンの有効期間を入力するための入力欄である。作成ボタン６０４は、名称入力欄６０１、広告枠選択欄６０２、および有効期限入力欄６０３に入力された情報を確定し、キャンペーンの作成を完了するための操作ボタンである。
【０１０５】
広告作成欄６１０は、広告を作成するための入力欄であり、広告作成欄６１０には、「広告の作成」というサブタイトル、「名称」という項目名が付された名称入力欄６１１、「キャンペーン」という項目名が付されたキャンペーン名入力欄６１２、「有効期限」という項目名が付された有効期限入力欄６１３、「画像」という項目名が付された画像名入力欄６１４、「ジャンプ先」という項目名が付されたジャンプ先入力欄６１６、および作成ボタン６１７が設けられる。
【０１０６】
名称入力欄６１１は、広告の名称を入力するための入力欄である。キャンペーン名入力欄６１２は、広告を含めるキャンペーンの名称を入力するための入力欄である。有効期限入力欄６１３は、広告の有効期間を入力するための入力欄である。画像名入力欄６１４は、広告として表示する広告画像のデータ名を入力するための入力欄である。画像名入力欄６１４には、参照ボタン６１５が設けられており、参照ボタン６１５を操作することによって、入稿に使用する端末装置１０内に記憶されている広告画像のデータ名の一覧表を表示することができる。表示した一覧表からデータ名を選択することによって、選択したデータ名の広告画像を登録することができる。ジャンプ先入力欄６１６は、広告の詳細データを取得する取得先のＵＲＬを入力するための入力欄である。作成ボタン６１７は、名称入力欄６１１、キャンペーン名入力欄６１２、有効期限入力欄６１３、画像名入力欄６１４およびジャンプ先入力欄６１６に入力された情報を確定し、広告の作成を完了するための操作ボタンである。
【０１０７】
図１５に示した広告入稿画面６０は、名称入力欄６０１に「枠２、キャンペーン０１」と入力され、広告枠選択欄６０２では「枠２」が選択され、有効期限入力欄６０３に「２０１１／５／１−２０１１／６／３０」と入力され、名称入力欄６１１に「新刊お知らせ」と入力され、キャンペーン名入力欄６１２に「枠２、キャンペーン０１」と入力され、有効期限入力欄６１３に「２０１１／５／１−２０１１／５／３１」と入力され、画像名入力欄６１４に「ｃｒｅａｔｉｖｅ／ｂａｎｎｅｒ０１.ｊｐｇ」と入力され、ジャンプ先入力欄６１６に「ｈｔｔｐ：／／ｗｗｗ.ｓｔｏｒｅ.ａａａ.ｊｐ／１００００００１」と入力されている。
【０１０８】
図１６は、メニュー画面の例を示す図である。図１６（ａ）は、メインメニュー画面６２の一例を示す図であり、図１６（ｂ）は、アプリケーションプログラム（以下、「アプリケーション」または「アプリ」ともいう）メニュー画面６３を示す図である。
【０１０９】
メインメニュー画面６２は、端末装置１０に表示される初期画面であり、端末装置１０の電源が投入され、動作可能になると表示される待ち受け画面である。ホームボタン１４３を操作することによっても、表示することもできる。
【０１１０】
メインメニュー画面６２には、コンテンツ選択欄６２０、設定ボタン６２１、ストアボタン６２２およびアプリケーションボタン６２３が設けられる。コンテンツ選択欄６２０は、表示されている複数のコンテンツ名から表示したいコンテンツのコンテンツ名を選択する欄である。設定ボタン６２１は、設定画面を表示するための操作ボタンである。ストアボタン６２２は、ショップアプリを起動し、ショップサービスのトップ画面を表示するための操作ボタンである。
【０１１１】
アプリケーションボタン６２３は、アプリケーションメニュー画面６３を表示するための操作ボタンである。図１６（ａ）に示したメインメニュー画面６２のコンテンツ選択欄６２０には、６つのコンテンツ名、つまりコンテンツ１〜コンテンツ６が表示されている。
【０１１２】
アプリケーションメニュー画面６３は、アプリケーションおよび広告を選択するための画面であり、メインメニュー画面６２に重畳して表示される。アプリケーションメニュー画面６３には、「アプリケーション」というタイトル６３０、ブラウザボタン６３１、メールボタン６３２、ゲームボタン６３３、広告表示欄６３４および閉じるボタン６３５が設けられている。ブラウザボタン６３１は、ウェブブラウザを起動するための操作ボタンである。メールボタン６３２は、電子メールを送受信するアプリケーションプログラムを起動するための操作ボタンである。ゲームボタン６３３は、ゲームのアプリケーションプログラムを起動するための操作ボタンである。広告表示欄６３４は、広告を表示するための欄である。閉じるボタン６３５は、アプリケーションメニュー画面６３を終了するための操作ボタンである。
【０１１３】
ユーザは、広告表示欄６３４に表示されている広告の中から、広告の詳細情報を表示させたい広告をクリック、あるいはタップして選択することによって、選択した広告の詳細情報を表示することができる。図１６（ｂ）に示したアプリケーションメニュー画面６３の広告表示欄６３４には、２つの広告、つまり広告１および広告２が表示されている。広告１は、広告枠１に表示され、広告２は、広告枠２に表示されている。広告枠は、広告表示欄６３４に設けられる枠である。広告２は、キャンペーン名称が「枠２＿キャンペーン０１」のキャンペーンに含まれる広告である。
【０１１４】
端末装置ＣＰＵ１１は、アプリケーションボタン６２３が操作されて、アプリケーションメニュー画面６３の広告表示欄６３４を表示したとき、広告表示開始のログを生成し、生成したログを端末装置記憶部１２に記憶する。端末装置ＣＰＵ１１は、閉じるボタン６３５が操作されて、アプリケーションメニュー画面６３を閉じたとき、広告表示終了のログを生成し、生成したログを端末装置記憶部１２に記憶する。端末装置ＣＰＵ１１は、広告特定パラメータが同じである広告表示開始のログおよび広告表示終了のログをマージして、１つの広告表示開始終了のログとする。端末装置ＣＰＵ１１は、広告表示欄６３４に表示されている広告のいずれかがクリックされたとき、広告操作のログを生成し、生成したログを端末装置記憶部１２に記憶する。
【０１１５】
図１７は、詳細情報画面の例を示す図である。詳細情報画面は、図１６（ｂ）に示した広告表示欄６３４に表示される広告がタップされたときに表示される画面であり、タップされた広告の詳細情報を表示する。図１６（ｂ）に示した広告表示欄６３４に表示される広告は、ウェブブラウザ、ショップアプリおよびビューアのうちのいずれかに予め関連付けられており、広告がタップされると、タップされた広告に関連付けられているアプリケーションプログラムが起動される。
【０１１６】
ウェブブラウザは、ウェブサーバにアクセスすることを可能とするアプリケーションプログラムである。ショップアプリは、当該ショップアプリに関連付けられているサイトから広告の詳細情報をダウンロードして表示し、詳細情報に表示する商品等の購入を可能とするアプリケーションプログラムである。ビューアは、書籍コンテンツを表示するためのアプリケーションプログラムであり、端末装置記憶部１２に記憶される広告の詳細情報となる書籍コンテンツを表示する。
【０１１７】
図１７（ａ）は、ウェブブラウザによって広告の詳細情報が表示される第１の詳細情報画面６４である。第１の詳細情報画面６４には、ＵＲＬ欄６４１、詳細情報表示欄６４２および閉じるボタン６４３が設けられている。ＵＲＬ欄６４１は、ウェブブラウザがアクセスしているＵＲＬを示す欄である。詳細情報表示欄６４２は、ＵＲＬ欄６４１に表示されるＵＲＬから取得した広告の詳細情報を表示する欄である。閉じるボタン６４３は、第１の詳細情報画面６４を終了するための操作ボタンである。
【０１１８】
図１７（ｂ）は、ショップアプリによって広告の詳細情報が表示される第２の詳細情報画面６５である。第２の詳細情報画面６５には、広告名称欄６５１および詳細情報表示欄６５２が設けられている。広告名称欄６５１は、図１６（ｂ）に示した広告表示欄６３４でタップされた広告の名称を表示する欄である。詳細情報表示欄６５２は、ショップアプリがショップアプリのサイトから取得した広告の詳細情報を表示する欄である。
【０１１９】
図１７（ｃ）は、ビューアによって広告の詳細情報が表示される第３の詳細情報画面６６である。第３の詳細情報画面６６には、詳細情報表示欄６６１が設けられる。詳細情報表示欄６６１は、広告の詳細情報を表示する欄である。
【０１２０】
図１８は、広告レポートリスト６７の一例を示す図である。広告レポートリスト６７は、広告主の端末装置１０からの要求によって、広告サーバ３０によって生成され、広告主の端末装置１０に送信されて、広告主の端末装置１０に表示される。広告レポートリスト６７には、タイトル欄６７１および一覧表欄６７２が設けられる。
【０１２１】
タイトル欄６７１には、「広告レポートリスト」というタイトルと、広告レポートリストが作成された日時、たとえば「２００１１／５／１現在」が表示される。一覧表欄６７２には、「広告名」６７３、「配信期間」６７４、「表示数」６７５、「クリック数」６７６および「クリック率」６７７の項目が設けられている。
【０１２２】
「広告名」６７３は、タップされた広告の名称を示す項目である。「配信期間」６７４は、広告の有効期間を示す項目である。「表示数」６７５は、広告が表示された回数を示す項目である。「表示数」６７５が示す回数は、その広告についての広告表示開始終了のログの数に一致する。「クリック数」６７６は、タップされた回数を示す項目である。「クリック数」６７６が示す回数は、広告管理サーバ２０でカウントされた回数である。「クリック率」６７７は、クリックされた割合を百分率（％）で示す項目である。クリック率は、「クリック数」６７６に示される回数を「表示数」６７５に示される回数で除算した値である。
【０１２３】
図１９は、広告入稿処理の処理手順を示すフローチャートである。広告主の端末装置１０（以下「広告主端末」という）は、左側のフローチャートを処理し、広告管理サーバ２０は、中央のフローチャートを処理し、広告サーバ３０は、右側のフローチャートを処理する。広告入稿処理は、広告主が、広告主端末から、ウェブブラウザにて入稿画面を表示すると、ステップＡ１に移る。
【０１２４】
広告サーバ３０から、図１５に示した広告入稿画面６０を受信して、表示部１６に表示する。ステップＡ１では、広告主は、表示された広告入稿画面６０に、広告を登録するために必要な情報を端末装置操作部１４によって入力する。端末装置ＣＰＵ１１は、入力された情報を端末装置通信部１５によって広告サーバ３０に送信し、入稿が完了すると、広告主端末での広告入稿処理を終了する。
【０１２５】
広告サーバ３０は、広告の入稿情報を広告主端末から受信する。ステップＣ２では、広告サーバ３０は、広告主端末から受信した情報に基づいて、第１広告情報、つまり第１の広告データ４２を生成する。そのとき、広告サーバ３０は、第１の広告データ４２に含まれるキャンペーンＩＤ、広告ＩＤ、ジャンプ先ＵＲＬおよび広告画像ＵＲＬを決定する。そして、広告サーバ３０は、生成した第１の広告データ４２を広告管理サーバ２０に送信して、広告サーバ３０での広告入稿処理を終了する。
【０１２６】
広告管理サーバ２０は、広告サーバ３０から第１の広告データ４２を受信すると、ステップＢ１に移る。広告属性データ取得ステップであるステップＢ１では、第２広告データ生成処理を行って、広告管理サーバ２０での広告入稿処理を終了する。第２広告データ生成処理は、広告管理サーバ２０が、広告サーバ３０から受信した第１の広告データ４２に基づいて、第２の広告データ４３を生成する処理であり、図２５で詳述する。
【０１２７】
図２０は、解析レポート出力処理の処理手順を示すフローチャートである。広告主端末は、左側のフローチャートを処理し、広告管理サーバ２０は、中央のフローチャートを処理し、広告サーバ３０は、右側のフローチャートを処理する。解析レポート出力処理は、広告主が、広告主端末からウェブブラウザにて解析レポートを表示する操作を行うと、ステップＤ１に移る。
【０１２８】
ステップＤ１では、解析レポート要求を、広告サーバ３０に送信する。ステップＤ２では、広告サーバ３０から広告レポートデータを受信すると、受信した広告レポートデータを解析レポートとして、たとえば図１８に示した広告レポートリスト６７のように、表示部１６に表示して、広告主端末での解析レポート出力処理を終了する。
【０１２９】
広告サーバ３０は、広告主端末から解析レポート要求を受信すると、ステップＥ１に移る。ステップＥ１では、図２１に示す解析レポート作成処理で作成される解析レポートを広告レポートデータとして広告主端末に送信して、広告サーバ３０での解析レポート出力処理を終了する。
【０１３０】
図２１は、解析レポート作成処理の処理手順を示すフローチャートである。ユーザの端末装置１０は、左側のフローチャートを処理し、広告管理サーバ２０は、中央のフローチャートを処理し、広告サーバ３０は、右側のフローチャートを処理する。解析レポート作成処理は、広告の取得、作成されたログの送信、および解析レポートの作成を行う処理である。端末装置１０の電源が投入され、動作可能状態になるとステップＦ１に進む。
【０１３１】
ステップＦ１では、端末装置ＣＰＵ１１は、広告取得時刻であるか否かを判定する。広告取得時刻は、どれぐらいの割合で広告を更新するかに応じて設定され、たとえば１日に３回更新する場合は、午前３時、午前６時および午後４時に設定される。端末装置ＣＰＵ１１は、計時部から取得する時刻が広告取得時刻であると、ステップＦ２に進み、計時部から取得する時刻が広告取得時刻でないと、ステップＦ１に戻る。
【０１３２】
ステップＦ２では、端末装置ＣＰＵ１１は、広告取得要求を端末装置通信部１５によって広告管理サーバ２０に送信する。端末装置ＣＰＵ１１は、広告取得要求を広告枠ごとに送信する。たとえば、広告枠１および広告枠２についてそれぞれ広告取得要求を送信し、広告取得要求を合計２回送信する。
【０１３３】
広告属性データ受信ステップであるステップＦ３では、端末装置ＣＰＵ１１は、広告管理サーバ２０から端末装置通信部１５によって第２広告情報、つまり第２の広告データ４３を受信し、広告情報解析を行う。第１の実施形態では、端末装置ＣＰＵ１１は、広告管理サーバ２０から端末装置通信部１５によって第２広告情報、つまり第２の広告データ４３を受信するのみで、広告情報解析としては何も処理せずに、ステップＦ４に進む。ステップＦ４では、端末装置ＣＰＵ１１は、広告画像要求を広告サーバ３０に送信する。具体的には、端末装置ＣＰＵ１１は、端末装置通信部１５によって第２の広告データ４３の「広告画像ＵＲＬ」４２７が示す広告サーバ３０の広告画像ＵＲＬにアクセスする。広告データ受信ステップおよび広告記憶ステップであるステップＦ５では、端末装置ＣＰＵ１１は、端末装置通信部１５によって広告画像ＵＲＬから、すなわち広告サーバ３０から広告画像、つまり広告の画像データを受信し、受信した画像データを端末装置記憶部１２に記憶する。広告枠１および広告枠２それぞれについて、広告が複数存在する場合、すなわち、広告画像ＵＲＬが複数あるときは、広告画像ＵＲＬの数だけ画像データを受信して、端末装置記憶部１２に記憶する。
【０１３４】
ステップＦ６では、端末装置ＣＰＵ１１は、広告ログ送信要求を広告管理サーバ２０に送信する。端末装置ＣＰＵ１１は、広告ログ送信要求とともに、端末装置記憶部１２に記憶されるログを送信ログデータ４５として送信する。ステップＦ７では、端末装置ＣＰＵ１１は、端末装置記憶部１２に記憶されるログを消去して、端末装置１０での解析レポート作成処理を終了する。解析レポート作成処理を終了後、他の処理等を行った後、また、ステップＦ１に戻る。
【０１３５】
広告管理サーバ２０は、端末装置１０から広告取得要求を受信すると、ステップＧ１に移る。広告属性データ送信ステップであるステップＧ１では、広告管理サーバ２０は、要求された広告枠の数だけ、第２広告情報、つまり第２の広告データ４３を端末装置１０に送信する。
【０１３６】
広告実績データ取得ステップであるステップＧ２では、広告管理サーバ２０は、端末装置１０から広告ログ送信要求および送信ログデータ４５を受信する。広告実績報告データ抽出ステップであるステップＧ３では、広告管理サーバ２０は、広告ログを解析する。具体的には、広告管理サーバ２０は、受信した送信ログデータ４５に基づいて、広告ＩＤ単位に、広告表示回数、つまり表示数、および広告クリック回数つまりクリック数を算出して、広告解析データ４６を生成する。このとき、広告管理サーバ２０は、広告記録のログ、つまりログ種別が「０００２」のログに関しては、ログパラメータ２内の広告特定パラメータに付加されている遷移先種別を確認し、端末外ジャンプ型、つまり遷移先種別が「０００１」であるログは、抜き取った上で、すなわち広告クリック回数に含めずに、広告解析データ４６を生成する。換言すると、広告管理サーバ２０は、遷移先種別が「０００２」であるログのみに基づいて広告解析データ４６を生成する。広告実績送信ステップであるステップＧ４では、広告管理サーバ２０は、解析結果、つまり広告解析データ４６を広告サーバ３０に送信して、広告管理サーバ２０での解析レポート作成処理を終了する。
【０１３７】
広告サーバ３０は、端末装置１０から広告画像要求を受信すると、ステップＨ１に移る。ステップＨ１では、広告サーバ３０は、広告画像ＵＲＬの広告画像、つまり広告の画像データを端末装置１０に送信する。
【０１３８】
ステップＨ２では、広告サーバ３０は、広告管理サーバ２０から解析結果、つまり広告解析データ４６を受信する。ステップＨ３では、広告サーバ３０は、オンラインログとのマージ処理を行う。具体的には、広告サーバ３０は、ジャンプ先ＵＲＬに設定されたクリックスルーＵＲＬによってアクセスされたことによって広告サーバ３０が生成したログを、広告解析データ４６のクリック数に加算する。広告サーバ３０は、送信ログデータの形式と同様に、ログ種別、記録時間、およびパラメータなどをオンラインログとして記録している。ステップＨ４では、広告サーバ３０は、オンラインログがマージされた広告解析データ４６に基づいて解析レポートを作成し、広告サーバ３０での解析レポート作成処理を終了する。
【０１３９】
図２２は、広告ログ記録処理の処理手順を示すフローチャートである。広告ログ記録処理は、ログを記録する処理である。端末装置ＣＰＵ１１は、メインメニュー画面６２のアプリケーションボタン６２３が操作されたとき、広告表示欄６３４に表示されている広告がクリックされたとき、およびアプリケーションメニュー画面６３の閉じるボタン６３５が操作されたとき、ステップＪ１に移る。
【０１４０】
ステップＪ１では、端末装置ＣＰＵ１１は、広告表示開始であるか否かを判定する。端末装置ＣＰＵ１１は、メインメニュー画面６２のアプリケーションボタン６２３が操作されたとき、広告表示開始であると判定し、ステップＪ４に進む。端末装置ＣＰＵ１１は、メインメニュー画面６２のアプリケーションボタン６２３が操作されなかったとき、広告表示開始でないと判定し、ステップＪ２に進む。
【０１４１】
ステップＪ２では、端末装置ＣＰＵ１１は、広告操作ありか否かを判定する。端末装置ＣＰＵ１１は、広告表示欄６３４に表示されている広告がクリックされたとき、広告操作があったと判定し、ステップＪ５に進む。端末装置ＣＰＵ１１は、広告表示欄６３４に表示されている広告がクリックされなかったとき、広告操作がなかったと判定し、ステップＪ３に進む。
【０１４２】
ステップＪ３では、端末装置ＣＰＵ１１は、広告表示終了であるか否かを判定する。端末装置ＣＰＵ１１は、アプリケーションメニュー画面６３の閉じるボタン６３５が操作されたとき、広告表示終了であると判定し、ステップＪ７に進む。端末装置ＣＰＵ１１は、アプリケーションメニュー画面６３の閉じるボタン６３５が操作されなかったとき、広告表示終了でないと判定し、広告ログ記録処理を終了する。ステップＪ１〜Ｊ３は、広告操作検出ステップである。ステップＪ４〜Ｊ７は、広告操作記憶ステップである。
【０１４３】
ステップＪ４では、端末装置ＣＰＵ１１は、アプリケーションメニュー画面６３を表示した後、広告表示開始のログを生成し、生成したログを端末装置記憶部１２に記録、つまり記憶して、ステップＪ２に進む。ステップＪ５では、端末装置ＣＰＵ１１は、後述するアプリ起動処理を行う。ステップＪ６では、端末装置ＣＰＵ１１は、広告操作のログを生成し、生成したログを端末装置記憶部１２に記録、つまり記憶して、ステップＪ３に進む。
【０１４４】
ステップＪ７では、端末装置ＣＰＵ１１は、アプリケーションメニュー画面６３を閉じた後、広告表示終了のログを生成し、生成したログを端末装置記憶部１２に記録、つまり記憶して、広告ログ記録処理を終了する。このとき、端末装置ＣＰＵ１１は、端末装置記憶部１２に記憶したログから、広告表示開始のログを検索し、検索した広告表示開始のログと広告表示終了のログとをマージ、つまり結合して、１つのログとする。マージの際、広告表示開始時刻と広告表示終了時刻との差分を経過時間として、広告特定パラメータの先頭に「／」で区切って追加する。
【０１４５】
図２３は、アプリ起動処理の処理手順を示すフローチャートである。図２２に示したフローチャートのステップＪ５が実行されると、ステップＫ１に移る。ステップＫ１では、端末装置ＣＰＵ１１は、クリックされた広告の第２の広告データ４３のジャンプ先ＵＲＬのジャンプスキームがショップジャンプであるか否かを判定する。端末装置ＣＰＵ１１は、ジャンプスキームがショップジャンプであるとき、ステップＫ４に進み、ジャンプスキームがショップジャンプでないとき、ステップＫ２に進む。ショップジャンプは、ジャンプスキームが「ｊｍｐ：／／ｓｈｏｐａｐｐ：ｕｒｌ＝」である。
【０１４６】
ステップＫ２では、端末装置ＣＰＵ１１は、クリックされた広告の第２の広告データ４３のジャンプ先ＵＲＬのジャンプスキームがプラウザジャンプであるか否かを判定する。端末装置ＣＰＵ１１は、ジャンプスキームがプラウザジャンプであるとき、ステップＫ５に進み、ジャンプスキームがプラウザジャンプでないとき、ステップＫ３に進む。プラウザジャンプは、ジャンプスキームが「ｊｍｐ：／／ｗｅｂａｐｐ？ｕｒｌ＝」である。
【０１４７】
ステップＫ３では、端末装置ＣＰＵ１１は、クリックされた広告の第２の広告データ４３のジャンプ先ＵＲＬのジャンプスキームがビューアジャンプであるか否かを判定する。端末装置ＣＰＵ１１は、ジャンプスキームがビューアジャンプであるとき、ステップＫ６に進み、ジャンプスキームがビューアジャンプでないとき、アプリ起動処理を終了する。ビューアジャンプは、ジャンプスキームが「ｊｍｐ：／／ｖｉｅｗｅｒ？ｕｒｌ＝」である。
【０１４８】
ステップＫ４では、端末装置ＣＰＵ１１は、ショップアプリを起動して、アプリ起動処理を終了する。ショップアプリは、たとえば図１７（ｂ）に示した第２の詳細情報画面６５を表示する。ステップＫ５では、端末装置ＣＰＵ１１は、ブラウザを起動して、アプリ起動処理を終了する。ブラウザは、たとえば図１７（ａ）に示した第１の詳細情報画面６４を表示する。ステップＫ６では、端末装置ＣＰＵ１１は、ブックビューアを起動して、アプリ起動処理を終了する。ブックビューアは、たとえば図１７（ｃ）に示した第３の詳細情報画面６６を表示する。
【０１４９】
図２４は、コンテンツ表示処理の処理手順を示すフローチャートである。コンテンツ表示処理は、ブラウザまたはショップアプリによって、広告の詳細情報を表示する処理である。端末装置１０は、左側のフローチャートを処理し、広告サーバ３０は、中央のフローチャートを処理し、遷移先サーバは、右側のフローチャートを処理する。図２３に示したフローチャートのステップＫ４またはステップＫ５が実行されると、ステップＬ１に移る。
【０１５０】
ステップＬ１では、端末装置ＣＰＵ１１は、指定ＵＲＬ、つまりクリックされた広告の第２の広告データ４３のジャンプ先ＵＲＬを広告サーバ３０にリクエスト送信する。リクエスト送信とは、指定ＵＲＬから提供される情報の送信要求を送信することである。
【０１５１】
ステップＬ２では、端末装置ＣＰＵ１１は、広告サーバ３０からリダイレクトレスポンスをレスポンスデータとして受信する。リダイレクトレスポンスは、第２の広告データ４３のジャンプ先ＵＲＬからジャンプスキームおよびクリックスルーを除いた遷移先のＵＲＬである。ステップＬ３では、端末装置ＣＰＵ１１は、リダイレクトを遷移先サーバにリクエスト送信する。すなわち、端末装置ＣＰＵ１１は、受信したリダイレクトレスポンスが示す遷移先のＵＲＬを遷移先サーバにリクエスト送信する。
【０１５２】
ステップＬ４では、端末装置ＣＰＵ１１は、広告サーバ３０からコンテンツ、つまり広告の詳細情報を受信する。ステップＬ５では、端末装置ＣＰＵ１１は、受信したコンテンツ、つまり広告の詳細情報を表示部１６に、たとえば図１７（ａ）に示した第１の詳細情報画面６４、または図１７（ｂ）に示した第２の詳細情報画面６５のように表示して、端末装置１０でのコンテンツ表示処理を終了する。
【０１５３】
広告サーバ３０は、端末装置１０から指定ＵＲＬが送信されると、ステップＭ１に移る。ステップＭ１では、広告サーバ３０は、クリックスルーＵＲＬが追加されたＵＲＬ、つまり第２の広告データ４３のジャンプ先ＵＲＬを受信する。ステップＭ２では、広告サーバ３０は、広告表示をカウントする。すなわち、指定された広告ＩＤに対する広告クリックの回数に「１」を加算する。広告サーバ３０は、ジャンプ先ＵＲＬに指定されている広告ＩＤを表す情報、たとえば「ａｄｉｄ＝３０００００００１」を参照して、広告を特定する。ここでカウントされた広告クリックの回数は、図２１に示したステップＨ３でマージされる。
【０１５４】
ステップＭ３では、広告管理サーバ２０は、受信した第２の広告データ４３のジャンプ先ＵＲＬから、ジャンプスキームおよびクリックスルーＵＲＬの広告サーバ３０処理関連部分を除き、ジャンプスキームおよびクリックスルーＵＲＬを除いたＵＲＬ、つまり遷移先のＵＲＬ、すなわち「ｈｔｔｐ：／／ｗｗｗ.ｓｔｏｒｅ.ａａａ.ｊｐ／１００００００１」を、リダイレクトレスポンスとして、端末装置１０に送信して、広告管理サーバ２０でのコンテンツ表示処理を終了する。クリックスルーＵＲＬの広告サーバ３０処理関連部分とは、たとえば、第２の広告データ４３のジャンプ先ＵＲＬ「ｈｔｔｐ：／／ｙｙｙ.ｃｋｃｏｕｎｔ.ｊｐ／ｃｏｕｎｔ？ａｄｉｄ＝３０００００００１＆ｊｕｒｌ＝ｈｔｔｐ：／／ｗｗｗ.ｓｔｏｒｅ.ａａａ.ｊｐ／１００００００１」から、ジャンプスキーム「ｊｍｐ：／／ｓｈｏｐａｐｐ：ｕｒｌ＝」、および遷移先ＵＲＬ「ｈｔｔｐ：／／ｗｗｗ.ｓｔｏｒｅ.ａａａ.ｊｐ／１００００００１」を除いた「ｈｔｔｐ：／／ｙｙｙ.ｃｋｃｏｕｎｔ.ｊｐ／ｃｏｕｎｔ？ａｄｉｄ＝３０００００００１＆ｊｕｒｌ＝」の部分である。
【０１５５】
遷移先サーバは、端末装置１０からリダイレクトがリクエスト送信されると、ステップＮ１に移る。ステップＮ１では、遷移先サーバは、端末装置１０からリクエストを受信する。すなわち、遷移先サーバは、端末装置１０からリダイレクトレスポンスが示すＵＲＬ、つまり遷移先のＵＲＬを受信する。ステップＮ２では、遷移先サーバは、リダイレクトレスポンスが示すＵＲＬから提供する情報を、コンテンツ、つまり広告の詳細情報として端末装置１０に送信して、遷移先サーバでのコンテンツ送信処理を終了する。
【０１５６】
図２５は、第２広告データ生成処理の処理手順を示すフローチャートである。第２広告データ生成処理は、第１の広告データ４２に基づいて第２の広告データ４３を生成する処理である。図１９に示したフローチャートのステップＢ１が実行されると、ステップＰ１に移る。
【０１５７】
ステップＰ１では、広告管理サーバ２０は、第１の広告データ４２の「ジャンプ先ＵＲＬ」４２６が示すジャンプ先ＵＲＬがショップのサーバ名を含むか否かを判定する。広告管理サーバ２０は、ジャンプ先ＵＲＬがショップのサーバ名を含むとき、ステップＰ６に進み、ジャンプ先ＵＲＬがショップのサーバ名を含まないとき、ステップＰ２に進む。ショップのサーバ名は、「ｈｔｔｐ：／／ｗｗｗ.ｓｔｏｒｅ.ａａａ.ｊｐ」である。
【０１５８】
ステップＰ２では、広告管理サーバ２０は、ＵＲＬスキームが「ｈｔｔｐ：／／」または「ｈｔｔｐｓ：／／」であるか否かを判定する。広告管理サーバ２０は、第１の広告データ４２の「ジャンプ先ＵＲＬ」４２６が示すジャンプ先ＵＲＬが「ｈｔｔｐ：／／」または「ｈｔｔｐｓ：／／」を含むとき、ＵＲＬスキームが「ｈｔｔｐ：／／」または「ｈｔｔｐｓ：／／」であると判定し、ステップＰ８に進む。広告管理サーバ２０は、第１の広告データ４２の「ジャンプ先ＵＲＬ」４２６が示すジャンプ先ＵＲＬが「ｈｔｔｐ：／／」および「ｈｔｔｐｓ：／／」を含まないとき、ＵＲＬスキームが「ｈｔｔｐ：／／」または「ｈｔｔｐｓ：／／」でないと判定し、ステップＰ３に進む。ＵＲＬスキームは、広告の詳細情報を取得する取得先を特定する特定文字列である。
【０１５９】
ステップＰ３では、広告管理サーバ２０は、「ｂｋ：／／」で開始するか否かを判定する。広告管理サーバ２０は、第１の広告データ４２の「ジャンプ先ＵＲＬ」４２６が示すジャンプ先ＵＲＬが、「ｂｋ：／／」で開始するとき、ステップＰ４に進み、「ｂｋ：／／」で開始しないとき、第２広告データ生成処理を終了する。
【０１６０】
ステップＰ４では、広告管理サーバ２０は、第１の広告データ４２の「ジャンプ先ＵＲＬ」４２６が示すジャンプ先ＵＲＬに、書籍ビューアのジャンプスキームを追加する。ステップＰ５では、広告管理サーバ２０は、遷移先種別を「０００２」として、第２広告データ生成処理を終了する。遷移先種別は、第２の広告データ４３の広告特定パラメータの末尾に付加される。
【０１６１】
ステップＰ６では、広告管理サーバ２０は、第１の広告データ４２の「ジャンプ先ＵＲＬ」４２６が示すジャンプ先ＵＲＬに、クリックスルーＵＲＬを追加する。ステップＰ７では、広告管理サーバ２０は、さらに、ショップのジャンプスキームを追加して、ステップＰ１０に進む。
【０１６２】
ステップＰ８では、広告管理サーバ２０は、第１の広告データ４２の「ジャンプ先ＵＲＬ」４２６が示すジャンプ先ＵＲＬに、クリックスルーＵＲＬを追加する。ステップＰ９では、広告管理サーバ２０は、さらに、ショップのジャンプスキームを追加する。ステップＰ１０では、広告管理サーバ２０は、遷移先種別を「０００１」として、第２広告データ生成処理を終了する。遷移先種別は、第２の広告データ４３の広告特定パラメータの末尾に付加される。ステップＰ１〜ステップＰ３は、取得先判断ステップである。ステップＰ４〜ステップＰ１０は、取得先種別データ付与ステップである。
【０１６３】
図２６は、第２の広告データ４３ａのデータ構造を示す図である。図２７は、広告特定パラメータ４９ａの構成を示す図である。広告属性データである第２の広告データ４３ａおよび広告特定パラメータ４９ａは、本発明の第２の実施形態である広告管理システム１ａで、第２の広告データ４３および広告特定パラメータ４９の代わりに用いられる。本発明の第２の実施形態である広告管理システム１ａのハードウエア構成は、図１に示した広告管理システム１のハードウエア構成と同じであり、重複を避けるために説明は省略する。
【０１６４】
第２の広告データ４３ａは、図７に示した第２の広告データ４３の「ジャンプ先ＵＲＬ」４３６を「ジャンプ先ＵＲＬ」４３６ａに置き換えたものである。ジャンプ先ＵＲＬ４３６ａは、第１の広告データ４２の「ジャンプ先ＵＲＬ」４１６と同じである。広告特定パラメータ４９ａは、図１３に示した広告特定パラメータ４９の遷移先種別４９４を除いたものである。
【０１６５】
第２の実施形態に係る広告管理サーバ２０は、図１９に示したステップＢ１で、広告サーバ３０から受信した第１の広告データ４２に基づいて、第２の広告データ４３ではなく、第２の広告データ４３ａを生成する。図２５に示した第２広告データ生成処理を実行することなく、広告特定パラメータのみ生成し、生成した広告特定パラメータを第１の広告データ４２に付加して、第２の広告データ４３ａを生成する。つまり、ジャンプ先ＵＲＬの編集は行われない。第２の広告データ４３ａのジャンプ先ＵＲＬの編集は、端末装置１０によって行われる。具体的には、図２１に示したステップＦ３の広告情報解析で、図２５に示した第２広告データ生成処理が端末装置１０によって実行されることによって行われる。
【０１６６】
上述した実施形態では、図２２に示したステップＪ６で、すべての広告操作に対して、ログを生成し、生成したログを端末装置記憶部１２に記憶したが、ブラウザおよびショップアプリに対する広告操作、つまり遷移先種別が「０００１」の広告操作については、ログを生成しないようにすることもできる。この場合、図２１に示したステップＧ３では、広告管理サーバ２０は、広告記録のログ、つまりログ種別が「０００２」のログに関しては、ログパラメータ２内の広告特定パラメータに付加されている遷移先種別を確認し、端末外ジャンプ型、つまり遷移先種別が「０００１」であるログを抜き取ることなく、広告解析データ４６を生成することができる。すなわち、端末装置１０から受信する広告操作のログは、遷移先種別が「０００２」であるログのみである。
【０１６７】
上述した実施形態では、端末装置ＣＰＵ１１が端末装置記憶部１２に記憶されるプログラムを実行することによって、広告管理サーバ２０が広告管理サーバ２０の記憶部２２に記憶されるプログラムを実行することによって、および広告サーバ３０が広告サーバ３０の記憶部２２に記憶されるプログラムを実行することによって、上述した処理を実行するが、上述した処理を実行するためのプログラムは、端末装置記憶部１２、広告管理サーバ２０の記憶部２２、および広告サーバ３０の記憶部２２に記憶されることに限定されるものではなく、コンピュータで読取り可能な記録媒体に記録されていてもよい。記録媒体は、たとえば図示しない外部記憶装置としてプログラム読取装置を端末装置１０、広告管理サーバ２０および広告サーバ３０に設け、それらに記録媒体を挿入することによって読取り可能な記録媒体であってもよいし、あるいは他の装置の記憶装置であってもよい。
【０１６８】
いずれの記録媒体であっても、記憶されているプログラムがコンピュータ、たとえばＣＰＵからアクセスされて実行される構成であればよい。あるいはいずれの記録媒体であっても、プログラムが読み出され、読み出されたプログラムが、端末装置記憶部１２、広告管理サーバ２０の記憶部２２、および広告サーバ３０の記憶部２２のプログラム記憶エリアに記憶されて、そのプログラムが実行される構成であってもよい。
【０１６９】
このように、広告サーバ３０および端末装置１０にネットワーク２を介して接続される広告管理サーバ２０が広告を管理するにあたって、広告管理サーバ２０のＣＰＵ２１は、広告の属性を表すデータであって、端末装置１０に表示された各広告中のいずれかを選択する広告操作に応答して、広告操作が行われた広告の詳細情報を取得する取得先を表すジャンプ先ＵＲＬを含むデータである第１の広告データ４２を、広告サーバ３０から取得する。広告管理サーバ２０のＣＰＵ２１は、広告管理サーバ２０のＣＰＵ２１が取得した第１の広告データ４２に含まれるジャンプ先ＵＲＬに基づいて、広告操作が行われた広告の詳細情報が、ネットワーク２を介して取得する広告であるのか、端末装置内に詳細情報が記憶されている広告であるのかを判断する。広告管理サーバ２０のＣＰＵ２１は、広告管理サーバ２０のＣＰＵ２１による判断結果に応じて、第１の広告データ４２に、取得先の種別を表すジャンプスキームを付与して、第２の広告データ４３を生成する。広告管理サーバ２０のＣＰＵ２１は、広告管理サーバ２０のＣＰＵ２１によってジャンプスキームが付与された第２の広告データ４３を端末装置１０に送信する。広告管理サーバ２０のＣＰＵ２１は、広告操作の実績を表す送信ログデータ４５であって、広告操作が行われた広告のジャンプスキームを含む送信ログデータ４５を端末装置１０から取得する。広告管理サーバ２０のＣＰＵ２１は、広告管理サーバ２０のＣＰＵ２１が取得した送信ログデータ４５から、ジャンプスキームを抽出する。そして、広告管理サーバ２０のＣＰＵ２１は、広告管理サーバ２０のＣＰＵ２１が抽出したジャンプスキームに応じた送信ログデータ４５を広告サーバ３０に送信する。したがって、広告管理サーバ２０は、広告の詳細情報が端末装置１０内にあっても端末装置１０外にあっても広告の詳細情報を取得する取得先の遷移を把握することができる。また、端末装置１０外にある広告の詳細情報にアクセスしたことを２重にカウントすることを防ぐことができる。したがって、広告管理サーバ２０は、広告主に対して、広告の操作に対する正確な広告料を請求することができる。
【０１７０】
さらに、広告管理サーバ２０のＣＰＵ２１は、広告管理サーバ２０のＣＰＵ２１が取得した送信ログデータ４５のうち、詳細情報を、ネットワーク２を介して取得する広告に対する広告操作の実績を除いた送信ログデータ４５を送信する。したがって、詳細情報を、ネットワーク２を介して取得する広告については、広告管理サーバ２０でカウントされた広告操作の実績を用いるので、通信エラーなどで取得できなかった広告を実績から除外することができる。
【０１７１】
さらに、広告管理サーバ２０のＣＰＵ２１は、詳細情報を、ネットワーク２を介して取得する広告に対する広告操作を送信ログデータ４５として送信しないように端末装置１０に指示する「０００１」の遷移先種別を、広告属性データに付加して送信する。したがって、端末装置１０側で、詳細情報を、ネットワーク２を介して取得する広告についての実績を除外することができる。
【０１７２】
さらに、広告管理サーバ２０のＣＰＵ２１は、ジャンプ先ＵＲＬに含まれる文字列のうち広告の詳細情報を取得する取得先を特定する特定文字列、たとえばＵＲＬスキームに基づいて、ネットワーク２を介して取得する広告であるのか、端末装置１０内に広告データが記憶されている広告であるのかを判断する。したがって、広告管理サーバ２０は、ジャンプ先ＵＲＬに含まれる文字列によって、詳細情報を、ネットワーク２を介して取得する広告であるのか、端末装置１０内に詳細情報が記憶されている広告であるのかを判断することができる。
【０１７３】
さらに、ネットワーク２を介して相互に接続される広告管理サーバ２０、広告サーバ３０および端末装置１０を含む広告管理システム１で広告を管理するにあたって、広告管理サーバ２０では、広告管理サーバ２０のＣＰＵ２１は、広告の属性を表すデータであって、端末装置１０に表示された各広告中のいずれかを選択する広告操作に応答して、広告操作が行われた広告の詳細情報を取得する取得先を表すジャンプ先ＵＲＬを含むデータである第１の広告データ４２を、広告サーバ３０から取得する。広告管理サーバ２０のＣＰＵ２１は、広告管理サーバ２０のＣＰＵ２１が取得した第１の広告データ４２に含まれるジャンプ先ＵＲＬに基づいて、広告操作が行われた広告の詳細情報が、ネットワーク２を介して取得する広告であるのか、端末装置１０内に詳細情報が記憶されている広告であるのかを判断する。広告管理サーバ２０のＣＰＵ２１は、広告管理サーバ２０のＣＰＵ２１による判断結果に応じて、第１の広告データ４２に、取得先の種別を表すジャンプスキームを付与して、第２の広告データ４３を生成する。広告管理サーバ２０のＣＰＵ２１は、広告管理サーバ２０のＣＰＵ２１によってジャンプスキームが付与された第２の広告データ４３を端末装置１０に送信する。広告管理サーバ２０のＣＰＵ２１は、広告操作の実績を表す送信ログデータ４５であって、広告操作が行われた広告のジャンプスキームを含む送信ログデータ４５を端末装置１０から取得する。広告管理サーバ２０のＣＰＵ２１は、広告実績データ取得部が取得した送信ログデータ４５から、ジャンプスキームを抽出する。そして、広告管理サーバ２０のＣＰＵ２１は、広告管理サーバ２０のＣＰＵ２１が抽出したジャンプスキームに応じた送信ログデータ４５を広告サーバ３０に送信する。
【０１７４】
また、端末装置１０では、端末装置通信部１５は、第２の広告データ４３を広告管理サーバ２０から受信する。端末装置通信部１５は、広告を表す広告画像データ、つまり画像データを広告サーバ３０から受信する。端末装置記憶部１２は、端末装置通信部１５が受信した第２の広告データ４３と、端末装置通信部１５が受信した広告画像データとを関連付けて記憶する。表示部１６は、広告画像データを広告として表示する。端末装置ＣＰＵ１１は、表示部１６に表示される広告に対する広告操作が行われたことを検出する。端末装置記憶部１２は、端末装置ＣＰＵ１１が表示部１６に表示される広告に対する広告操作が行われたことを検出すると、表示部１６に表示される広告に応答する広告操作が行われたことと、広告操作が行われた広告に関連付けられた第２の広告データ４３とを記録ログデータ４４として記憶する。そして、広告管理サーバ２０のＣＰＵ２１は、端末装置記憶部１２に記憶される記録ログデータ４４を送信ログデータ４５として広告管理サーバ２０に送信する。したがって、広告の詳細情報が端末装置１０内にあっても端末装置１０外にあっても広告の詳細情報を取得する取得先の遷移を把握することができる。また、端末装置１０外にある広告の詳細情報にアクセスしたことを２重にカウントすることを防ぐことができる。したがって、広告主に対して、広告の操作に対する正確な広告料を請求することができる。
【０１７５】
さらに、広告サーバ３０および端末装置１０にネットワーク２を介して接続される広告管理サーバ２０で実行される広告管理方法によって広告を管理するにあたって、図１９に示したステップＢ１では、広告の属性を表すデータであって、端末装置１０に表示された各広告中のいずれかを選択する広告操作に応答して、広告操作が行われた広告の詳細情報を取得する取得先を表すジャンプ先ＵＲＬを含むデータである第１の広告データ４２を、広告サーバ３０から取得する。
【０１７６】
図２５に示したステップＰ１〜ステップＰ３では、図１９に示したステップＢ１で取得した第１の広告データ４２に含まれるジャンプ先ＵＲＬに基づいて、広告操作が行われた広告の詳細情報が、ネットワーク２を介して取得する広告であるのか、端末装置１０内に詳細情報が記憶されている広告であるのかを判断する。図２５に示したステップＰ４〜ステップＰ１０では、図２５に示したステップＰ１〜ステップＰ３での判断結果に応じて、第１の広告データ４２に、取得先の種別を表すジャンプスキームを付与して、第２の広告データ４３を生成する。
【０１７７】
図２１に示したステップＧ１では、図２５に示したステップＰ４〜ステップＰ１０でジャンプスキームが付与された第２の広告データ４３を端末装置１０に送信する。図２１に示したステップＧ２では、広告操作の実績を表す送信ログデータ４５であって、広告操作が行われた広告のジャンプスキームを含む送信ログデータ４５を端末装置１０から取得する。図２１に示したステップＧ３では、図２１に示したステップＧ２で取得した送信ログデータ４５から、ジャンプスキームを抽出する。そして、図２１に示したステップＧ３では、図２１に示したステップＧ３で抽出したジャンプスキームに応じた送信ログデータ４５を広告サーバ３０に送信する。
【０１７８】
したがって、広告の詳細情報が端末装置１０内にあっても端末装置１０外にあっても広告の詳細情報を取得する取得先の遷移を把握することができる。また、端末装置１０外にある広告の詳細情報にアクセスしたことを２重にカウントすることを防ぐことができる。したがって、広告主に対して、広告の操作に対する正確な広告料を請求することができる。
【０１７９】
さらに、広告サーバ３０および端末装置１０にネットワーク２を介して接続され、コンピュータを含む広告管理サーバ２０のコンピュータに、広告の属性を表すデータであって、端末装置１０に表示された各広告中のいずれかを選択する広告操作に応答して、広告操作が行われた広告の詳細情報を取得する取得先を表すジャンプ先ＵＲＬを含むデータである第１の広告データ４２を、広告サーバ３０から取得する図１９に示したステップＢ１と、図１９に示したステップＢ１で取得した第１の広告データ４２に含まれるジャンプ先ＵＲＬに基づいて、広告操作が行われた広告の詳細情報が、ネットワーク２を介して取得する広告であるのか、端末装置１０内に詳細情報が記憶されている広告であるのかを判断する図２５に示したステップＰ１〜ステップＰ３と、図２５に示したステップＰ１〜ステップＰ３での判断結果に応じて、第１の広告データ４２に、取得先の種別を表すジャンプスキームを付与して、第２の広告データ４３を生成する図２５に示したステップＰ４〜ステップＰ１０と、図２５に示したステップＰ４〜ステップＰ１０でジャンプスキームが付与された第２の広告データ４３を端末装置１０に送信する図２１に示したステップＧ１と、広告操作の実績を表す送信ログデータ４５であって、広告操作が行われた広告のジャンプスキームを含む送信ログデータ４５を端末装置１０から取得する図２１に示したステップＧ２と、図２１に示したステップＧ２で取得した送信ログデータ４５から、ジャンプスキームを抽出する図２１に示したステップＧ３と、図２１に示したステップＧ３で抽出したジャンプスキームに応じた送信ログデータ４５を広告サーバ３０に送信する図２１に示したステップＧ３とを実行させるためのプログラムとして提供することができる。
【０１８０】
さらに、広告管理サーバ２０および広告サーバ３０にネットワーク２を介して接続される端末装置１０で広告を管理するにあたって、端末装置通信部１５は、広告を取得する取得先を表すジャンプ先ＵＲＬを含む第２の広告データ４３ａを広告管理サーバ２０から受信する。端末装置通信部１５は、広告を表す広告画像データを広告サーバ３０から受信する。端末装置記憶部１２は、端末装置通信部１５が受信した第２の広告データ４３ａと、端末装置通信部１５が受信した広告画像データとを関連付けて記憶する。表示部１６は、広告画像データを広告として表示する。端末装置ＣＰＵ１１は、表示部１６に表示された各広告中のいずれかを選択する広告操作が行われたことを検出する。そして、端末装置記憶部１２は、端末装置ＣＰＵ１１が表示部１６に表示された各広告中のいずれかを選択する広告操作が行われたことを検出すると、広告操作が行われた広告に関連付けられた第２の広告データ４３ａを端末装置記憶部１２から読み出し、読み出した第２の広告データ４３ａに含まれるジャンプ先ＵＲＬに基づいて、広告操作が行われた広告の詳細情報が、ネットワーク２を介して取得する広告であるのか、端末装置１０内に詳細情報が記憶されている広告であるのかを判断し、判断結果に応じて広告操作の実績を記憶する。したがって、広告の詳細情報が端末装置１０内にあっても端末装置１０外にあっても広告の詳細情報を取得する取得先の遷移を把握することができる。また、端末装置１０外にある広告の詳細情報にアクセスしたことを２重にカウントすることを防ぐことができる。したがって、広告主に対して、広告の操作に対する正確な広告料を請求することができる。
【０１８１】
さらに、端末装置記憶部１２は、詳細情報を、ネットワーク２を介して取得する広告であると判断したとき、広告操作の実績を記録しないことを特徴とする。したがって、端末装置１０側で、詳細情報を、ネットワーク２を介して取得する広告についての実績を除外することができる。
【０１８２】
さらに、端末装置通信部１５は、端末装置記憶部１２に記憶される広告操作の実績を広告管理サーバ２０に送信する。端末装置記憶部１２は、詳細情報を、ネットワーク２を介して取得する広告であると判断したとき、広告サーバ３０に広告操作の実績を送信しないことを表す「０００１」の遷移先種別を広告操作の実績に付加して記憶する。そして、端末装置通信部１５は、「０００１」の遷移先種別が広告操作の実績に付加されている広告操作の実績を送信しない。したがって、端末装置１０側で、詳細情報を、ネットワーク２を介して取得する広告についての実績を除外することができる。
【０１８３】
さらに、端末装置通信部１５は、端末装置記憶部１２に記憶される広告操作の実績を広告管理サーバ２０に送信する。端末装置記憶部１２は、詳細情報を、ネットワー２を介して取得する広告であると判断したとき、広告サーバ３０に広告操作の実績を送信しないことを表す「０００１」の遷移先種別を広告操作の実績に付加して記憶する。そして、端末装置通信部１５は、「０００１」の遷移先種別が広告操作の実績に付加されている広告操作の実績を送信する。
【０１８４】
したがって、広告管理サーバ２０側で、詳細情報を、ネットワーク２を介して取得する広告についての実績を除外することができる。
【０１８５】
さらに、端末装置記憶部１２は、ジャンプ先ＵＲＬに含まれる文字列のうち広告の詳細情報を取得する取得先を特定する特定文字列、たとえばＵＲＬスキームに基づいて、詳細情報を、ネットワーク２を介して取得する広告であるのか、端末装置１０内に詳細情報が記憶されている広告であるのかを判断する。したがって、ジャンプ先ＵＲＬに含まれる文字列によって判断することができる。
【０１８６】
さらに、前記広告操作の実績は、広告操作が行われた日時を表す広告操作日時データ、広告を特定する広告特定データ、および広告操作の種類を表す広告種類データを含む。したがって、ユーザは、広告操作の実績から、どの広告に対していつどのような広告操作が行われたかを知ることができる。
【０１８７】
さらに、ネットワーク２を介して相互に接続される広告管理サーバ２０、広告サーバ３０および端末装置１０を含む広告管理システム１で広告を管理するにあたって、広告管理サーバでは、広告管理サーバ２０のＣＰＵ２１は、広告を取得する取得先を表すジャンプ先ＵＲＬを含む第２の広告データ４３ａを、広告サーバ３０から取得する。広告管理サーバ２０のＣＰＵ２１は、広告管理サーバ２０のＣＰＵ２１が取得した第２の広告データ４３ａを端末装置１０に送信する。広告実績取得部は、端末装置１０から送信された広告操作の実績を取得する。端末装置通信部１５は、広告実績取得部が取得した広告操作の実績に応じた送信ログデータ４５を生成し、生成した送信ログデータ４５を広告サーバ３０に送信する。
【０１８８】
また、端末装置１０では、端末装置通信部１５は、広告を取得する取得先を表すジャンプ先ＵＲＬを含む第２の広告データ４３ａを広告管理サーバ２０から受信する。端末装置通信部１５は、広告を表す広告画像データを広告サーバ３０から受信する。端末装置記憶部１２は、端末装置通信部１５が受信した第２の広告データ４３ａと、端末装置通信部１５が受信した広告画像データとを関連付けて記憶する。表示部１６は、広告画像データを広告として表示する。
【０１８９】
端末装置ＣＰＵ１１は、表示部１６に表示された各広告中のいずれかを選択する広告操作が行われたことを検出する。端末装置記憶部１２は、端末装置ＣＰＵ１１が表示部１６に表示された各広告中のいずれかを選択する広告操作が行われたことを検出すると、広告操作が行われた広告に関連付けられた第２の広告データ４３ａを端末装置記憶部１２から読み出し、読み出した第２の広告データ４３ａに含まれるジャンプ先ＵＲＬに基づいて、広告操作が行われた広告の詳細情報が、ネットワーク２を介して取得する広告であるのか、端末装置１０内に詳細情報が記憶されている広告であるのかを判断し、判断結果に応じて広告操作の実績を記憶する。そして、端末装置通信部１５は、端末装置記憶部１２に記憶される広告操作の実績を広告管理サーバ２０に送信する。
【０１９０】
したがって、広告の詳細情報が端末装置１０内にあっても端末装置１０外にあっても広告の詳細情報を取得する取得先の遷移を把握することができる。また、端末装置１０外にある広告の詳細情報にアクセスしたことを２重にカウントすることを防ぐことができる。したがって、広告主に対して、広告の操作に対する正確な広告料を請求することができる。
【０１９１】
さらに、広告管理サーバ２０および広告サーバ３０にネットワーク２を介して接続される端末装置１０で実行される広告管理方法であって、図２１に示したステップＦ３では、広告を取得する取得先を表すジャンプ先ＵＲＬを含む第２の広告データ４３ａを広告管理サーバ２０から受信する。図２１に示したステップＦ５では、広告を表す広告画像データを広告サーバ３０から受信する。図２１に示したステップＦ５では、図２１に示したステップＦ３で受信した第２の広告データ４３ａと、図２１に示したステップＦ５で受信した広告画像データとを関連付けて端末装置記憶部１２に記憶する。
【０１９２】
広告表示ステップでは、広告画像データを広告として表示する。図２２に示したステップＪ１〜Ｊ３では、広告表示ステップで表示された各広告中のいずれかを選択する広告操作が行われたことを検出する。そして、図２２に示したステップＪ４〜Ｊ７では、図２２に示したステップＪ１〜Ｊ３で、広告表示ステップで表示された各広告中のいずれかを選択する広告操作が行われたことを検出すると、広告操作が行われた広告に関連付けられた第２の広告データ４３ａを端末装置記憶部１２から読み出し、読み出した第２の広告データ４３ａに含まれるジャンプ先ＵＲＬに基づいて、広告操作が行われた広告の詳細情報が、ネットワーク２を介して取得する広告であるのか、端末装置１０内に詳細情報が記憶されている広告であるのかを判断し、判断結果に応じて広告操作の実績を記憶する。
【０１９３】
したがって、広告の詳細情報が端末装置１０内にあっても端末装置１０外にあっても広告の詳細情報を取得する取得先の遷移を把握することができる。また、端末装置１０外にある広告の詳細情報にアクセスしたことを２重にカウントすることを防ぐことができる。したがって、広告主に対して、広告の操作に対する正確な広告料を請求することができる。
【０１９４】
さらに、広告管理サーバ２０および広告サーバ３０にネットワーク２を介して接続され、コンピュータを含む端末装置１０のコンピュータに、広告を取得する取得先を表すジャンプ先ＵＲＬを含む第２の広告データ４３ａを広告管理サーバ２０から受信する図２１に示したステップＦ３と、広告を表す広告画像データを広告サーバ３０から受信する図２１に示したステップＦ５と、図２１に示したステップＦ３で受信した第２の広告データ４３ａと、図２１に示したステップＦ５で受信した広告画像データとを関連付けて端末装置記憶部１２に記憶する図２１に示したステップＦ５と、広告画像データを広告として表示する図示しない広告表示ステップと、広告表示ステップで表示された各広告中のいずれかを選択する広告操作が行われたことを検出する図２２に示したステップＪ１〜Ｊ３と、図２２に示したステップＪ１〜Ｊ３で、広告表示ステップで表示された各広告中のいずれかを選択する広告操作が行われたことを検出すると、広告操作が行われた広告に関連付けられた第２の広告データ４３ａを端末装置記憶部１２から読み出し、読み出した第２の広告データ４３ａに含まれるジャンプ先ＵＲＬに基づいて、広告操作が行われた広告の詳細情報が、ネットワーク２を介して取得する広告であるのか、端末装置１０内に詳細情報が記憶されている広告であるのかを判断し、判断結果に応じて広告操作の実績を記憶する図２２に示したステップＪ４〜Ｊ７と、を実行させるためのプログラムとして提供することができる。
【符号の説明】
【０１９５】
１  広告管理システム
２  ネットワーク
１０  端末装置
１１  端末装置ＣＰＵ
１２  端末装置記憶部
１３  端末装置一時記憶部
１４  端末装置操作部
１５  端末装置通信部
１６  表示部
１７  音声入出力部
１８  アンテナ
２０  広告管理サーバ
２１  ＣＰＵ
２２  記憶部
２３  一時記憶部
２４  操作部
２５  通信部
３０  広告サーバ
１４１  電源ボタン
１４２  戻るボタン
１４３  ホームボタン
１４４  トラックボール
【図１】
2012252427.tif 000003
【図２】
2012252427.tif 000004
【図３】
2012252427.tif 000005
【図４】
2012252427.tif 000006
【図５】
2012252427.tif 000007
【図６】
2012252427.tif 000008
【図７】
2012252427.tif 000009
【図８】
2012252427.tif 000010
【図９】
2012252427.tif 000011
【図１０】
2012252427.tif 000012
【図１１】
2012252427.tif 000013
【図１２】
2012252427.tif 000014
【図１３】
2012252427.tif 000015
【図１４】
2012252427.tif 000016
【図１５】
2012252427.tif 000017
【図１６】
2012252427.tif 000018
【図１７】
2012252427.tif 000019
【図１８】
2012252427.tif 000020
【図１９】
2012252427.tif 000021
【図２０】
2012252427.tif 000022
【図２１】
2012252427.tif 000023
【図２２】
2012252427.tif 000024
【図２３】
2012252427.tif 000025
【図２４】
2012252427.tif 000026
【図２５】
2012252427.tif 000027
【図２６】
2012252427.tif 000028
【図２７】
2012252427.tif 000029